(57)【特許請求の範囲】
【請求項１】
物体側から順に、正の屈折力の第１レンズ群と、負の屈折力の第２レンズ群と、正の屈折力の中間レンズ群と、負の屈折力の像側レンズ群とから構成されており、
短焦点距離端から長焦点距離端への変倍に際し、第１レンズ群と第２レンズ群の間隔が増大し、第２レンズ群と中間レンズ群の間隔が減少し、
像側レンズ群は、２枚のレンズから構成されており、
次の条件式（１）、（２）、（３）を満足することを特徴とするズームレンズ系。
（１）−６．０＜ｆ１／ｆ２＜−４．３
（２）−５．４＜ｆ１／ｆＩＭＧ＜−３．９
（３）０．３＜Ｄ２／ｆｗ＜３．０
但し、
ｆ１：第１レンズ群の焦点距離、
ｆ２：第２レンズ群の焦点距離、
ｆＩＭＧ：像側レンズ群の焦点距離、
Ｄ２：短焦点距離端における第２レンズ群の最も像側の面と中間レンズ群の最も物体側の面との間の光軸上の距離、
ｆｗ：短焦点距離端における全系の焦点距離。
【請求項２】
請求項１記載のズームレンズ系において、
短焦点距離端から長焦点距離端への変倍に際し、第１レンズ群が物体側に移動するズームレンズ系。
【請求項３】
請求項１または２記載のズームレンズ系において、
第１レンズ群は、物体側から順に、少なくとも１枚の正レンズと、負メニスカスレンズとを有しているズームレンズ系。
【請求項４】
物体側から順に、正の屈折力の第１レンズ群と、負の屈折力の第２レンズ群と、正の屈折力の中間レンズ群と、負の屈折力の像側レンズ群とから構成されており、
短焦点距離端から長焦点距離端への変倍に際し、第１レンズ群が物体側に移動するとともに、第１レンズ群と第２レンズ群の間隔が増大し、第２レンズ群と中間レンズ群の間隔が減少し、
第１レンズ群は、物体側から順に、少なくとも１枚の正レンズと、負メニスカスレンズとを有しており、
次の条件式（１）、（２）、（３）を満足することを特徴とするズームレンズ系。
（１）−６．０＜ｆ１／ｆ２＜−４．３
（２）−５．４＜ｆ１／ｆＩＭＧ＜−３．９
（３）０．３＜Ｄ２／ｆｗ＜３．０
但し、
ｆ１：第１レンズ群の焦点距離、
ｆ２：第２レンズ群の焦点距離、
ｆＩＭＧ：像側レンズ群の焦点距離、
Ｄ２：短焦点距離端における第２レンズ群の最も像側の面と中間レンズ群の最も物体側の面との間の光軸上の距離、
ｆｗ：短焦点距離端における全系の焦点距離。
【請求項５】
請求項３または４記載のズームレンズ系において、
次の条件式（１１）、（１２）を満足するズームレンズ系。
（１１）θgＦｎ−（０．６４４０−０．００１６８２×νｎ）＜０
（１２）３４＜νｎ
但し、
θｇＦｎ：第１レンズ群中の負メニスカスレンズの短波長側における部分分散比、
θｇＦ＝（ｎｇ−ｎＦ）／（ｎＦ−ｎＣ）、ｎｘはｇ線、Ｆ線，Ｃ線の屈折率、
νｎ：第１レンズ群中の負メニスカスレンズのｄ線に対するアッベ数。
【請求項６】
請求項３ないし５のいずれか１項記載のズームレンズ系において、
次の条件式（１３）を満足するズームレンズ系。
（１３）ｆ１／ｆｎ＜−１．５
但し、
ｆ１：第１レンズ群の焦点距離、
ｆｎ：第１レンズ群中の負メニスカスレンズの焦点距離。
【請求項７】
請求項１ないし６のいずれか１項記載のズームレンズ系において、
像側レンズ群は、フォーカシング時に移動するフォーカスレンズ群を構成するズームレンズ系。
【請求項８】
請求項１ないし７のいずれか１項記載のズームレンズ系において、
像側レンズ群は、各１枚の正レンズと負レンズから構成されているズームレンズ系。
【請求項９】
請求項８記載のズームレンズ系において、
次の条件式（４）を満足するズームレンズ系。
（４）−６．０＜ｆＲｐ／ｆＲｎ＜−１．５
但し、
ｆＲｐ：像側レンズ群中の正レンズの焦点距離、
ｆＲｎ：像側レンズ群中の負レンズの焦点距離。
【請求項１０】
請求項１ないし９のいずれか１項記載のズームレンズ系において、
次の条件式（８）を満足するズームレンズ系。
（８）０．８＜ｆ１／ｆｗ＜８．０
但し、
ｆ１：第１レンズ群の焦点距離、
ｆｗ：短焦点距離端における全系の焦点距離。
【請求項１１】
請求項１ないし１０のいずれか１項記載のズームレンズ系において、
次の条件式（９）を満足するズームレンズ系。
（９）０．６＜ｆ１／（ｆｗ×ｆｔ）１／２＜６．０
但し、
ｆ１：第１レンズ群の焦点距離、
ｆｗ：短焦点距離端における全系の焦点距離、
ｆｔ：長焦点距離端における全系の焦点距離。
【請求項１２】
請求項１ないし１１のいずれか１項記載のズームレンズ系において、
次の条件式（１０）を満足するズームレンズ系。
（１０）１．８＜ｎｄａｖｅ
但し、
ｎｄａｖｅ：第２レンズ群中の全ての負レンズのｄ線に対する屈折率の平均値。
【請求項１３】
請求項１ないし１２のいずれか１項記載のズームレンズ系において、
中間レンズ群は、物体側から順に、正の屈折力の前方サブレンズ群と、開口絞りと、正の屈折力の後方サブレンズ群とから構成されているズームレンズ系。
【請求項１４】
請求項１３記載のズームレンズ系において、
次の条件式（５）を満足するズームレンズ系。
（５）０．１＜ｆＳＦ／ｆＳＲ＜７．０
但し、
ｆＳＦ：前方サブレンズ群の焦点距離、
ｆＳＲ：後方サブレンズ群の焦点距離。
【請求項１５】
請求項１３または１４記載のズームレンズ系において、
次の条件式（６）を満足するズームレンズ系。
（６）１．００＜ＲＦ／ＲＲ＜２０．０（ＲＦ＞０、ＲＲ＞０）
但し、
ＲＦ：前方サブレンズ群の最も像側の面の曲率半径、
ＲＲ：後方サブレンズ群の最も物体側の面の曲率半径。
【請求項１６】
請求項１３ないし１５のいずれか１項記載のズームレンズ系において、
次の条件式（７）を満足するズームレンズ系。
（７）０．２＜ＤＳ／ｆＦＲ＜１．０
但し、
ＤＳ：前方サブレンズ群の最も像側の面と後方サブレンズ群の最も物体側の面との間の光軸上の距離、
ｆＦＲ：短焦点距離端における前方サブレンズ群と後方サブレンズ群の合成焦点距離。
【請求項１７】
請求項１ないし１６のいずれか１項記載のズームレンズ系において、
中間レンズ群は、正の屈折力の第３レンズ群から構成されており、像側レンズ群は、負の屈折力の第４レンズ群から構成されているズームレンズ系。
【請求項１８】
請求項１ないし１６のいずれか１項記載のズームレンズ系において、
中間レンズ群は、正の屈折力の第３レンズ群と正の屈折力の第４レンズ群とから構成されており、像側レンズ群は、負の屈折力の第５レンズ群から構成されているズームレンズ系。
【請求項１９】
請求項１ないし１２のいずれか１項記載のズームレンズ系において、
中間レンズ群は、正の屈折力の第３レンズ群と負の屈折力の第４レンズ群と正の屈折力の第５レンズ群とから構成されており、像側レンズ群は、負の屈折力の第６レンズ群から構成されているズームレンズ系。
【請求項２０】
請求項１ないし１９のいずれか１項記載のズームレンズ系において、
次の条件式（１４）を満足するズームレンズ系。
（１４）０．１＜ｆ１／ｆｔ＜１．０
但し、
ｆ１：第１レンズ群の焦点距離、
ｆｔ：長焦点距離端における全系の焦点距離。
【発明の詳細な説明】
【技術分野】
【０００１】
本発明は、例えば、監視カメラ、デジタルカメラ、交換レンズに適用されるズームレンズ系に関する。
【背景技術】
【０００２】
近年、小型化と高変倍化を図るとともに、遠距離物体に対して高倍率撮影するために望遠側の焦点距離をさらに伸ばしたズームレンズ系が要望されている。また、無限遠から至近距離までの物体距離に亘って高い光学性能を有することが要求されている。しかし、一般的に、望遠域を含んだズームレンズ系は、収差（特に球面収差）が大きくなりがちである。
【０００３】
特許文献１、２には、望遠域を含んだズームレンズ系として、物体側から順に、正の屈折力の第１レンズ群と、負の屈折力の第２レンズ群と、正の屈折力の第３レンズ群と、負の屈折力の第４レンズ群とから構成された、いわゆるポジティブリード型のズームレンズ系が開示されている。
【先行技術文献】
【特許文献】
【０００４】
【特許文献１】特開平１１−３５２４０１号公報
【特許文献２】特開２０１２−２７２６１号公報
【発明の概要】
【発明が解決しようとする課題】
【０００５】
しかしながら、特許文献１、２のズームレンズ系は、短焦点距離端と長焦点距離端の間のズーム全域に亘る諸収差の補正が不十分であり、光学性能が劣化しがちである。
【０００６】
本発明は、以上の問題意識に基づいてなされたものであり、ズーム全域に亘って諸収差を良好に補正することで優れた光学性能を得ることができるズームレンズ系を得ることを目的とする。
【課題を解決するための手段】
【０００７】
本発明のズームレンズ系は、その一態様では、物体側から順に、正の屈折力の第１レンズ群と、負の屈折力の第２レンズ群と、正の屈折力の中間レンズ群と、負の屈折力の像側レンズ群とから構成されており、短焦点距離端から長焦点距離端への変倍に際し、第１レンズ群と第２レンズ群の間隔が増大し、第２レンズ群と中間レンズ群の間隔が減少し、像側レンズ群は、２枚のレンズから構成されており、次の条件式（１）、（２）、（３）を満足することを特徴としている。
（１）−６．０＜ｆ１／ｆ２＜−４．３
（２）−５．４＜ｆ１／ｆＩＭＧ＜−３．９
（３）０．３＜Ｄ２／ｆｗ＜３．０
但し、
ｆ１：第１レンズ群の焦点距離、
ｆ２：第２レンズ群の焦点距離、
ｆＩＭＧ：像側レンズ群の焦点距離、
Ｄ２：短焦点距離端における第２レンズ群の最も像側の面と中間レンズ群の最も物体側の面との間の光軸上の距離、
ｆｗ：短焦点距離端における全系の焦点距離、
である。
【０００８】
短焦点距離端から長焦点距離端への変倍に際し、第１レンズ群が物体側に移動する（繰り出される）ことができる。
【０００９】
第１レンズ群は、物体側から順に、少なくとも１枚の正レンズと、負メニスカスレンズとを有することができる。
【００１０】
本発明のズームレンズ系は、別の態様では、物体側から順に、正の屈折力の第１レンズ群と、負の屈折力の第２レンズ群と、正の屈折力の中間レンズ群と、負の屈折力の像側レンズ群とから構成されており、短焦点距離端から長焦点距離端への変倍に際し、第１レンズ群が物体側に移動するとともに、第１レンズ群と第２レンズ群の間隔が増大し、第２レンズ群と中間レンズ群の間隔が減少し、第１レンズ群は、物体側から順に、少なくとも１枚の正レンズと、負メニスカスレンズとを有しており、次の条件式（１）、（２）、（３）を満足することを特徴としている。
（１）−６．０＜ｆ１／ｆ２＜−４．３
（２）−５．４＜ｆ１／ｆＩＭＧ＜−３．９
（３）０．３＜Ｄ２／ｆｗ＜３．０
但し、
ｆ１：第１レンズ群の焦点距離、
ｆ２：第２レンズ群の焦点距離、
ｆＩＭＧ：像側レンズ群の焦点距離、
Ｄ２：短焦点距離端における第２レンズ群の最も像側の面と中間レンズ群の最も物体側の面との間の光軸上の距離、
ｆｗ：短焦点距離端における全系の焦点距離、
である。
【００１１】
本発明のズームレンズ系は、条件式（３）が規定する条件式範囲の中でも、次の条件式（３’）を満足することが好ましい。
（３’）０．６＜Ｄ２／ｆｗ＜３．０
【００１２】
本発明のズームレンズ系は、条件式（３）が規定する条件式範囲の中でも、次の条件式（３”）を満足することが好ましい。
（３”）０．３＜Ｄ２／ｆｗ＜１．０
【００１３】
本発明のズームレンズ系は、次の条件式（１１）、（１２）を満足することが好ましい。
（１１）θgＦｎ−（０．６４４０−０．００１６８２×νｎ）＜０
（１２）３４＜νｎ
但し、
θｇＦｎ：第１レンズ群中の負メニスカスレンズの短波長側における部分分散比、
θｇＦ＝（ｎｇ−ｎＦ）／（ｎＦ−ｎＣ）、ｎｘはｇ線、Ｆ線，Ｃ線の屈折率、
νｎ：第１レンズ群中の負メニスカスレンズのｄ線に対するアッベ数、
である。
【００１４】
本発明のズームレンズ系は、次の条件式（１３）を満足することが好ましい。
（１３）ｆ１／ｆｎ＜−１．５
但し、
ｆ１：第１レンズ群の焦点距離、
ｆｎ：第１レンズ群中の負メニスカスレンズの焦点距離、
である。
【００１５】
本発明のズームレンズ系は、条件式（１３）が規定する条件式範囲の中でも、次の条件式（１３’）を満足することが好ましい。
（１３’）−３．３＜ｆ１／ｆｎ＜−１．５
【００１６】
像側レンズ群は、フォーカシング時に移動するフォーカスレンズ群を構成することができる。
【００１７】
像側レンズ群は、各１枚の正レンズと負レンズから構成することができる。
【００１８】
本発明のズームレンズ系は、次の条件式（４）を満足することが好ましい。
（４）−６．０＜ｆＲｐ／ｆＲｎ＜−１．５
但し、
ｆＲｐ：像側レンズ群中の正レンズの焦点距離、
ｆＲｎ：像側レンズ群中の負レンズの焦点距離、
である。
【００１９】
本発明のズームレンズ系は、次の条件式（８）を満足することが好ましい。
（８）０．８＜ｆ１／ｆｗ＜８．０
但し、
ｆ１：第１レンズ群の焦点距離、
ｆｗ：短焦点距離端における全系の焦点距離、
である。
【００２０】
本発明のズームレンズ系は、次の条件式（９）を満足することが好ましい。
（９）０．６＜ｆ１／（ｆｗ×ｆｔ）１／２＜６．０
但し、
ｆ１：第１レンズ群の焦点距離、
ｆｗ：短焦点距離端における全系の焦点距離、
ｆｔ：長焦点距離端における全系の焦点距離、
である。
【００２１】
本発明のズームレンズ系は、次の条件式（１０）を満足することが好ましい。
（１０）１．８＜ｎｄａｖｅ
但し、
ｎｄａｖｅ：第２レンズ群中の全ての負レンズのｄ線に対する屈折率の平均値、
である。
【００２２】
中間レンズ群は、物体側から順に、正の屈折力の前方サブレンズ群と、開口絞りと、正の屈折力の後方サブレンズ群とから構成することができる。
【００２３】
本発明のズームレンズ系は、次の条件式（５）を満足することが好ましい。
（５）０．１＜ｆＳＦ／ｆＳＲ＜７．０
但し、
ｆＳＦ：前方サブレンズ群の焦点距離、
ｆＳＲ：後方サブレンズ群の焦点距離、
である。
【００２４】
本発明のズームレンズ系は、次の条件式（６）を満足することが好ましい。
（６）１．０＜ＲＦ／ＲＲ＜２０．０（ＲＦ＞０、ＲＲ＞０）
但し、
ＲＦ：前方サブレンズ群の最も像側の面の曲率半径、
ＲＲ：後方サブレンズ群の最も物体側の面の曲率半径、
である。
【００２５】
本発明のズームレンズ系は、条件式（６）が規定する条件式範囲の中でも、次の条件式（６’）を満足することが好ましい。
（６’）１．０＜ＲＦ／ＲＲ＜２．８（ＲＦ＞０、ＲＲ＞０）
【００２６】
本発明のズームレンズ系は、次の条件式（７）を満足することが好ましい。
（７）０．２＜ＤＳ／ｆＦＲ＜１．０
但し、
ＤＳ：前方サブレンズ群の最も像側の面と後方サブレンズ群の最も物体側の面との間の短焦点距離端における光軸上の距離、
ｆＦＲ：短焦点距離端における前方サブレンズ群と後方サブレンズ群の合成焦点距離、
である。
【００２７】
中間レンズ群を、正の屈折力の第３レンズ群から構成し、像側レンズ群を、負の屈折力の第４レンズ群から構成することができる。この場合、本発明のズームレンズ系は、正、負、正、負の４群ズームレンズ系となる。
【００２８】
中間レンズ群を、正の屈折力の第３レンズ群と正の屈折力の第４レンズ群とから構成し、像側レンズ群を、負の屈折力の第５レンズ群から構成することができる。この場合、本発明のズームレンズ系は、正、負、正、正、負の５群ズームレンズ系となる。
【００２９】
中間レンズ群を、正の屈折力の第３レンズ群と負の屈折力の第４レンズ群と正の屈折力の第５レンズ群とから構成し、像側レンズ群を、負の屈折力の第６レンズ群から構成することができる。この場合、本発明のズームレンズ系は、正、負、正、負、正、負の６群ズームレンズ系となる。
【００３０】
本発明のズームレンズ系は、次の条件式（１４）を満足することが好ましい。
（１４）０．１＜ｆ１／ｆｔ＜１．０
但し、
ｆ１：第１レンズ群の焦点距離、
ｆｔ：長焦点距離端における全系の焦点距離、
である。
【００３１】
本発明のズームレンズ系は、さらに別の態様では、物体側から順に、正の屈折力の第１レンズ群と、負の屈折力の第２レンズ群と、正の屈折力の第Ａレンズ群を有し、短焦点距離端から長焦点距離端への変倍に際し、第１レンズ群と第２レンズ群の間隔が増大し、第２レンズ群と第Ａレンズ群の間隔が減少し、第Ａレンズ群は、物体側から順に、正の屈折力の前方サブレンズ群と、開口絞りと、正の屈折力の後方サブレンズ群とから構成されており、次の条件式（５’）、（６）を満足することを特徴としている。
（５’）０．１＜ｆＳＦ／ｆＳＲ＜１．３
（６）１．０＜ＲＦ／ＲＲ＜２０．０（ＲＦ＞０、ＲＲ＞０）
但し、
ｆＳＦ：前方サブレンズ群の焦点距離、
ｆＳＲ：後方サブレンズ群の焦点距離、
ＲＦ：前方サブレンズ群の最も像側の面の曲率半径、
ＲＲ：後方サブレンズ群の最も物体側の面の曲率半径、
である。
【発明の効果】
【００３２】
本発明によれば、ズーム全域に亘って諸収差を良好に補正することで優れた光学性能を得ることができるズームレンズ系が得られる。
【図面の簡単な説明】
【００３３】
【図１】本発明によるズームレンズ系の数値実施例１の短焦点距離端における無限遠合焦時のレンズ構成図である。
【図２】図２Ａ−図２Ｄは図１の構成における諸収差図である。
【図３】図３Ａ−図３Ｄは図１の構成における横収差図である。
【図４】本発明によるズームレンズ系の数値実施例１の長焦点距離端における無限遠合焦時のレンズ構成図である。
【図５】図５Ａ−図５Ｄは図４の構成における諸収差図である。
【図６】図６Ａ−図６Ｄは図４の構成における横収差図である。
【図７】本発明によるズームレンズ系の数値実施例２の短焦点距離端における無限遠合焦時のレンズ構成図である。
【図８】図８Ａ−図８Ｄは図７の構成における諸収差図である。
【図９】図９Ａ−図９Ｄは図７の構成における横収差図である。
【図１０】本発明によるズームレンズ系の数値実施例２の長焦点距離端における無限遠合焦時のレンズ構成図である。
【図１１】図１１Ａ−図１１Ｄは図１０の構成における諸収差図である。
【図１２】図１２Ａ−図１２Ｄは図１０の構成における横収差図である。
【図１３】本発明によるズームレンズ系の数値実施例３の短焦点距離端における無限遠合焦時のレンズ構成図である。
【図１４】図１４Ａ−図１４Ｄは図１３の構成における諸収差図である。
【図１５】図１５Ａ−図１５Ｄは図１３の構成における横収差図である。
【図１６】本発明によるズームレンズ系の数値実施例３の長焦点距離端における無限遠合焦時のレンズ構成図である。
【図１７】図１７Ａ−図１７Ｄは図１６の構成における諸収差図である。
【図１８】図１８Ａ−図１８Ｄは図１６の構成における横収差図である。
【図１９】本発明によるズームレンズ系の数値実施例４の短焦点距離端における無限遠合焦時のレンズ構成図である。
【図２０】図２０Ａ−図２０Ｄは図１９の構成における諸収差図である。
【図２１】図２１Ａ−図２１Ｄは図１９の構成における横収差図である。
【図２２】本発明によるズームレンズ系の数値実施例４の長焦点距離端における無限遠合焦時のレンズ構成図である。
【図２３】図２３Ａ−図２３Ｄは図２２の構成における諸収差図である。
【図２４】図２４Ａ−図２４Ｄは図２２の構成における横収差図である。
【図２５】本発明によるズームレンズ系の数値実施例５の短焦点距離端における無限遠合焦時のレンズ構成図である。
【図２６】図２６Ａ−図２６Ｄは図２５の構成における諸収差図である。
【図２７】図２７Ａ−図２７Ｄは図２５の構成における横収差図である。
【図２８】本発明によるズームレンズ系の数値実施例５の長焦点距離端における無限遠合焦時のレンズ構成図である。
【図２９】図２９Ａ−図２９Ｄは図２８の構成における諸収差図である。
【図３０】図３０Ａ−図３０Ｄは図２８の構成における横収差図である。
【図３１】本発明によるズームレンズ系の数値実施例６の短焦点距離端における無限遠合焦時のレンズ構成図である。
【図３２】図３２Ａ−図３２Ｄは図３１の構成における諸収差図である。
【図３３】図３３Ａ−図３３Ｄは図３１の構成における横収差図である。
【図３４】本発明によるズームレンズ系の数値実施例６の長焦点距離端における無限遠合焦時のレンズ構成図である。
【図３５】図３５Ａ−図３５Ｄは図３４の構成における諸収差図である。
【図３６】図３６Ａ−図３６Ｄは図３４の構成における横収差図である。
【図３７】本発明によるズームレンズ系の数値実施例７の短焦点距離端における無限遠合焦時のレンズ構成図である。
【図３８】図３８Ａ−図３８Ｄは図３７の構成における諸収差図である。
【図３９】図３９Ａ−図３９Ｄは図３７の構成における横収差図である。
【図４０】本発明によるズームレンズ系の数値実施例７の長焦点距離端における無限遠合焦時のレンズ構成図である。
【図４１】図４１Ａ−図４１Ｄは図４０の構成における諸収差図である。
【図４２】図４２Ａ−図４２Ｄは図４０の構成における横収差図である。
【図４３】本発明によるズームレンズ系の数値実施例８の短焦点距離端における無限遠合焦時のレンズ構成図である。
【図４４】図４４Ａ−図４４Ｄは図４３の構成における諸収差図である。
【図４５】図４５Ａ−図４５Ｄは図４３の構成における横収差図である。
【図４６】本発明によるズームレンズ系の数値実施例８の長焦点距離端における無限遠合焦時のレンズ構成図である。
【図４７】図４７Ａ−図４７Ｄは図４６の構成における諸収差図である。
【図４８】図４８Ａ−図４８Ｄは図４６の構成における横収差図である。
【図４９】本発明によるズームレンズ系の数値実施例９の短焦点距離端における無限遠合焦時のレンズ構成図である。
【図５０】図５０Ａ−図５０Ｄは図４９の構成における諸収差図である。
【図５１】図５１Ａ−図５１Ｄは図４９の構成における横収差図である。
【図５２】本発明によるズームレンズ系の数値実施例９の長焦点距離端における無限遠合焦時のレンズ構成図である。
【図５３】図５３Ａ−図５３Ｄは図５２の構成における諸収差図である。
【図５４】図５４Ａ−図５４Ｄは図５２の構成における横収差図である。
【図５５】本発明によるズームレンズ系の数値実施例１０の短焦点距離端における無限遠合焦時のレンズ構成図である。
【図５６】図５６Ａ−図５６Ｄは図５５の構成における諸収差図である。
【図５７】図５７Ａ−図５７Ｄは図５５の構成における横収差図である。
【図５８】本発明によるズームレンズ系の数値実施例１０の長焦点距離端における無限遠合焦時のレンズ構成図である。
【図５９】図５９Ａ−図５９Ｄは図５８の構成における諸収差図である。
【図６０】図６０Ａ−図６０Ｄは図５８の構成における横収差図である。
【図６１】本発明によるズームレンズ系の数値実施例１１の短焦点距離端における無限遠合焦時のレンズ構成図である。
【図６２】図６２Ａ−図６２Ｄは図６１の構成における諸収差図である。
【図６３】図６３Ａ−図６３Ｄは図６１の構成における横収差図である。
【図６４】本発明によるズームレンズ系の数値実施例１１の長焦点距離端における無限遠合焦時のレンズ構成図である。
【図６５】図６５Ａ−図６５Ｄは図６４の構成における諸収差図である。
【図６６】図６６Ａ−図６６Ｄは図６４の構成における横収差図である。
【図６７】本発明によるズームレンズ系のズーム軌跡を示す第１の簡易移動図である。
【図６８】本発明によるズームレンズ系のズーム軌跡を示す第２の簡易移動図である。
【図６９】本発明によるズームレンズ系のズーム軌跡を示す第３の簡易移動図である。
【図７０】本発明によるズームレンズ系のズーム軌跡を示す第４の簡易移動図である。
【図７１】本発明によるズームレンズ系のズーム軌跡を示す第５の簡易移動図である。
【発明を実施するための形態】
【００３４】
本実施形態のズームレンズ系は、数値実施例１−８では、図６７、図６８の簡易移動図に示すように、物体側から順に、正の屈折力の第１レンズ群Ｇ１と、負の屈折力の第２レンズ群Ｇ２と、正の屈折力の第３レンズ群（中間レンズ群、第Ａレンズ群）Ｇ３と、負の屈折力の第４レンズ群（像側レンズ群、最終レンズ群、第Ｂレンズ群）Ｇ４とから構成されている。第３レンズ群Ｇ３は、物体側から順に、正の屈折力の前方サブレンズ群Ｇ３Ｆと、開口絞りＳと、正の屈折力の後方サブレンズ群Ｇ３Ｒとから構成されている。Ｉは設計上の像面である。
【００３５】
本実施形態のズームレンズ系は、数値実施例１−４では、図６７の簡易移動図に示すように、短焦点距離端（Ｗｉｄｅ）から長焦点距離端（Ｔｅｌｅ）への変倍に際し、前方サブレンズ群Ｇ３Ｆと後方サブレンズ群Ｇ３Ｒが一体に移動する。
つまり、数値実施例１−４のズームレンズ系は、ズーミングに際して変化するレンズ間隔を基にしてレンズ群を定義すれば、正（第１レンズ群Ｇ１）、負（第２レンズ群Ｇ２）、正（第３レンズ群Ｇ３）、負（第４レンズ群Ｇ４）の４群ズームレンズ系である。
より具体的に、短焦点距離端から長焦点距離端への変倍に際し、第１レンズ群Ｇ１が物体側に移動し（繰り出され）、第２レンズ群Ｇ２が一旦像側に移動した後に物体側に戻り（Ｕターンし）、第３レンズ群Ｇ３と第４レンズ群Ｇ４が一旦像側に移動した後に短焦点距離端の位置を超えて物体側に移動する。
ここで、短焦点距離端から長焦点距離端への変倍に際する各レンズ群の挙動には自由度があり、第１レンズ群Ｇ１と第２レンズ群Ｇ２の間隔が増大し、第２レンズ群Ｇ２と第３レンズ群（中間レンズ群）Ｇ３の間隔が減少する限りにおいて、種々の設計変更が可能である。
【００３６】
本実施形態のズームレンズ系は、数値実施例５−８では、図６８の簡易移動図に示すように、短焦点距離端（Ｗｉｄｅ）から長焦点距離端（Ｔｅｌｅ）への変倍に際し、前方サブレンズ群Ｇ３Ｆと後方サブレンズ群Ｇ３Ｒが独立して別々に移動する（開口絞りＳは前方サブレンズ群Ｇ３Ｆと一体に移動する）。
つまり、数値実施例５−８のズームレンズ系は、ズーミングに際して変化するレンズ間隔を基にしてレンズ群を定義すれば、正（第１レンズ群Ｇ１）、負（第２レンズ群Ｇ２）、正（前方サブレンズ群Ｇ３Ｆ）、正（後方サブレンズ群Ｇ３Ｒ）、負（第４レンズ群Ｇ４）の５群ズームレンズ系である。
より具体的に、短焦点距離端から長焦点距離端への変倍に際し、第１レンズ群Ｇ１が物体側に移動し（繰り出され）、第２レンズ群Ｇ２が設計上の像面Ｉに対して固定されており（光軸方向に移動せず）、前方サブレンズ群Ｇ３Ｆと第４レンズ群Ｇ４が一旦像側に移動した後に短焦点距離端の位置を超えて物体側に移動し、後方サブレンズ群Ｇ３Ｒが単調に物体側に移動する。
ここで、短焦点距離端から長焦点距離端への変倍に際する各レンズ群の挙動には自由度があり、第１レンズ群Ｇ１と第２レンズ群Ｇ２の間隔が増大し、第２レンズ群Ｇ２と前方サブレンズ群（中間レンズ群）Ｇ３Ｆの間隔が減少する限りにおいて、種々の設計変更が可能である。
【００３７】
数値実施例１−８を通じて、第４レンズ群（像側レンズ群）Ｇ４は、フォーカシング時に移動するフォーカスレンズ群を構成する。つまり、無限遠物体から近距離物体へのフォーカシングに際して、第４レンズ群（像側レンズ群）Ｇ４が像側に移動する。
【００３８】
第１レンズ群Ｇ１は、数値実施例１−３、５、６、８では、物体側から順に、正レンズ１１と、負レンズ（負メニスカスレンズ）１２と、正レンズ１３とから構成されている。負レンズ１２と正レンズ１３は、接合されている。
第１レンズ群Ｇ１は、数値実施例４、７では、物体側から順に、正レンズ１１’と、正レンズ１２’と、負レンズ（負メニスカスレンズ）１３’と、正レンズ１４’とから構成されている。負レンズ１３’と正レンズ１４’は、接合されている。
【００３９】
第２レンズ群Ｇ２は、数値実施例１−３、５、６、８では、物体側から順に、負レンズ２１と、正レンズ２２と、負レンズ２３とから構成されている。負レンズ２１と正レンズ２２は、接合されている。
第２レンズ群Ｇ２は、数値実施例４、７では、物体側から順に、負レンズ２１’と、正レンズ２２’と、正レンズ２３’と、負レンズ２４’とから構成されている。負レンズ２１’と正レンズ２２’は、接合されている。正レンズ２３’と負レンズ２４’は、接合されている。
【００４０】
前方サブレンズ群Ｇ３Ｆは、数値実施例１−８を通じて、物体側から順に、正レンズ３１Ｆと、正レンズ３２Ｆと、負レンズ３３Ｆとから構成されている。正レンズ３２Ｆと負レンズ３３Ｆは、接合されている。
【００４１】
後方サブレンズ群Ｇ３Ｒは、数値実施例１−８を通じて、物体側から順に、負レンズ３１Ｒと、正レンズ３２Ｒと、正レンズ３３Ｒとから構成されている。
【００４２】
第４レンズ群Ｇ４は、数値実施例１−８を通じて、物体側から順に、正レンズ４１と、負レンズ４２とから構成されている。
【００４３】
本実施形態のズームレンズ系は、数値実施例９−１１では、図６９〜図７１の簡易移動図に示すように、物体側から順に、正の屈折力の第１レンズ群Ｇ１’と、負の屈折力の第２レンズ群Ｇ２’と、正の屈折力の第３レンズ群（中間レンズ群）Ｇ３’と、負の屈折力の第４レンズ群（中間レンズ群）Ｇ４’と、正の屈折力の第５レンズ群（中間レンズ群）Ｇ５’と、負の屈折力の第６レンズ群（像側レンズ群）Ｇ６’とから構成されている。第３レンズ群Ｇ３’と第４レンズ群Ｇ４’の間（第３レンズ群Ｇ３’の直後）には、第３レンズ群Ｇ３’と一体に移動する絞りＳが設けられている。Ｉは設計上の像面である。
【００４４】
本実施形態のズームレンズ系は、数値実施例９−１１を通じて、図６９〜図７１の簡易移動図に示すように、短焦点距離端（Ｗｉｄｅ）から長焦点距離端（Ｔｅｌｅ）への変倍に際し、第１レンズ群Ｇ１’と第２レンズ群Ｇ２’の間隔が増大し、第２レンズ群Ｇ２’と第３レンズ群Ｇ３’の間隔が減少し、第３レンズ群Ｇ３’と第４レンズ群Ｇ４’の間隔が増大し、第４レンズ群Ｇ４’と第５レンズ群Ｇ５’の間隔が減少し、第５レンズ群Ｇ５’と第６レンズ群Ｇ６’の間隔が減少する。
【００４５】
第１レンズ群Ｇ１’は、短焦点距離端から長焦点距離端への変倍に際し、数値実施例９−１１を通じて、単調に物体側に移動する（繰り出される）。
第２レンズ群Ｇ２’は、短焦点距離端から長焦点距離端への変倍に際し、数値実施例９、１０では設計上の像面Ｉに対して固定されており（光軸方向に移動せず）、数値実施例１１では一旦像側に移動した後に物体側に戻る（Ｕターンする）。
第３レンズ群Ｇ３’は、短焦点距離端から長焦点距離端への変倍に際し、数値実施例９−１１を通じて、単調に物体側に移動する（繰り出される）。
第４レンズ群Ｇ４’は、短焦点距離端から長焦点距離端への変倍に際し、数値実施例９では単調に像側に移動し、数値実施例１０、１１では設計上の像面Ｉに対して固定されている（光軸方向に移動しない）。
第５レンズ群Ｇ５’は、短焦点距離端から長焦点距離端への変倍に際し、数値実施例９では設計上の像面Ｉに対して固定されており（光軸方向に移動せず）、数値実施例１０、１１では単調に物体側に移動する（繰り出される）。
第６レンズ群Ｇ６’は、短焦点距離端から長焦点距離端への変倍に際し、数値実施例９−１１を通じて、単調に物体側に移動する（繰り出される）。
ここで、短焦点距離端から長焦点距離端への変倍に際する各レンズ群の挙動には自由度があり、第１レンズ群Ｇ１’と第２レンズ群Ｇ２’の間隔が増大し、第２レンズ群Ｇ２’と第３レンズ群Ｇ３’（中間レンズ群）Ｇ３’の間隔が減少する限りにおいて、種々の設計変更が可能である。
【００４６】
数値実施例９−１１を通じて、第４レンズ群Ｇ４’と第６レンズ群Ｇ６’は、フォーカシング時に移動するフォーカスレンズ群を構成する。つまり、無限遠物体から近距離物体へのフォーカシングに際して、第６レンズ群Ｇ６’が像側に移動し、第４レンズ群Ｇ４’が収差補正補助機能を担うために物体側に移動する。
【００４７】
第１レンズ群Ｇ１’は、数値実施例９−１１を通じて、物体側から順に、正レンズ１１Ａと、負レンズ（負メニスカスレンズ）１２Ａと、正レンズ１３Ａとから構成されている。負レンズ１２Ａと正レンズ１３Ａは、接合されている。
【００４８】
第２レンズ群Ｇ２’は、数値実施例９では、物体側から順に、負レンズ２１Ａと、正レンズ２２Ａと、負レンズ２３Ａとから構成されている。負レンズ２１Ａと正レンズ２２Ａは、接合されている。
第２レンズ群Ｇ２’は、数値実施例１０では、物体側から順に、負レンズ２１Ｂと、正レンズ２２Ｂと、正レンズ２３Ｂと、負レンズ２４Ｂとから構成されている。負レンズ２１Ｂと正レンズ２２Ｂは、接合されている。正レンズ２３Ｂと負レンズ２４Ｂは、接合されている。
第２レンズ群Ｇ２’は、数値実施例１１では、物体側から順に、負レンズ２１Ｃと、正レンズ２２Ｃと、負レンズ２３Ｃと、正レンズ２４Ｃとから構成されている。負レンズ２１Ｃと正レンズ２２Ｃは、接合されている。負レンズ２３Ｃと正レンズ２４Ｃは、接合されている。
【００４９】
第３レンズ群Ｇ３’は、数値実施例９、１０では、物体側から順に、正レンズ３１Ａと、正レンズ３２Ａと、負レンズ３３Ａとから構成されている。正レンズ３２Ａと負レンズ３３Ａは、接合されている。
第３レンズ群Ｇ３’は、数値実施例１１では、物体側から順に、正レンズ３１Ｂと、負レンズ３２Ｂと、正レンズ３３Ｂとから構成されている。負レンズ３２Ｂと正レンズ３３Ｂは、接合されている。
【００５０】
第４レンズ群Ｇ４’は、数値実施例９−１１を通じて、負単レンズ４１Ａから構成されている。
【００５１】
第５レンズ群Ｇ５’は、数値実施例９−１１を通じて、物体側から順に、正レンズ５１Ａと、正レンズ５２Ａと、負レンズ５３Ａとから構成されている。正レンズ５２Ａと負レンズ５３Ａは、接合されている。
【００５２】
第６レンズ群Ｇ６’は、数値実施例９−１１を通じて、物体側から順に、正レンズ６１Ａと、負レンズ６２Ａとから構成されている。正レンズ６１Ａと負レンズ６２Ａは、接合されている。
【００５３】
本実施形態のズームレンズ系は、正負正負の４群構成、正負正正負の５群構成または正負正負正負の６群構成のポジティブリード型をとることで、長焦点距離端における焦点距離を伸ばしている。また本実施形態のズームレンズ系は、最も物体側から順に正の屈折力の第１レンズ群Ｇ１（Ｇ１’）と負の屈折力の第２レンズ群Ｇ２（Ｇ２’）を配置することで高変倍化を図っている。なお、本実施形態のズームレンズ系は、中間レンズ群を４つ以上のレンズ群から構成して７つ以上のレンズ群構成とすることも可能である。
【００５４】
従来のポジティブリード型のズームレンズ系は、第１レンズ群または第２レンズ群を物体側に移動させて（繰り出して）フォーカシングを行うのが一般的である。しかし、物体側に配置されるレンズ群は、レンズ全系の中でも比較的大きく、迅速かつ静穏なフォーカシングには不適切である。そこで本実施形態のズームレンズ系では、最も像側に配置される比較的小さな第４レンズ群Ｇ４または第６レンズ群Ｇ６’（像側レンズ群）をフォーカスレンズ群とすることで、迅速かつ静穏なフォーカシングを可能にしている。また、フォーカシングに際して像側レンズ群である第４レンズ群Ｇ４または第６レンズ群Ｇ６’を像側に移動させることで、フォーカシング移動方向に障害物が発生しないので、フォーカシング移動量を確保するとともに、最短撮影距離を短くすることが可能になる。
【００５５】
フォーカスレンズ群の枚数を増やせば、至近距離時の性能の向上はしやすいが、迅速かつ静穏なフォーカシングには不適切である。一方、フォーカスレンズ群を単レンズで構成すると、主に短焦点距離端では軸外の収差が悪化し、主に長焦点距離端では軸上の収差が悪化し、至近距離時の色収差補正が不十分になってしまう。そこで本実施形態のズームレンズ系では、フォーカスレンズ群である第４レンズ群Ｇ４または第６レンズ群Ｇ６’（像側レンズ群）を各１枚の正レンズと負レンズ（４１と４２または６１Ａと６２Ａ）から構成することで、迅速かつ静穏なフォーカシングを可能にするとともに、短焦点距離端における軸外の収差、長焦点距離端における軸上の収差、至近距離時の色収差を良好に補正することに成功している。
【００５６】
第１レンズ群Ｇ１（Ｇ１’）は、最も物体側に正単レンズを１枚以上配置することが好ましい。最も物体側の正単レンズの集光作用により、正単レンズ通過後の瞳径（軸上光束径）を細くすることができ、特に長焦点距離端側の球面収差等の諸収差の発生を抑制するのに効果的である。また、製造誤差で生じる群内偏芯やレンズ群同士の偏芯（群間偏芯）による諸収差の発生を抑制することにも効果的である。さらに、最も物体側の正単レンズの後方（直後）に負レンズを配置することで、特に短焦点距離端側の軸外収差の発生を抑制しながら、短焦点距離端から長焦点距離端における色収差を補正するのに効果的となる。
【００５７】
上述したように、第１レンズ群Ｇ１（Ｇ１’）は、短焦点距離端から長焦点距離端への変倍に際して物体側に移動する。仮に第１レンズ群を変倍時に固定とすると、主に短焦点距離端側でレンズ全長が長くなり、軸外光を取り込むためにレンズ径が大型化してしまう（せざるを得ない）。
【００５８】
第１レンズ群Ｇ１（Ｇ１’）を変倍時移動させることにより、レンズ外径を抑えることができ、また収納長（短焦点距離端から長焦点距離端の間で最も光軸方向の長さが短縮された時の最も物体側のレンズから最も像側のレンズまでの距離）の短縮にも有利である（小型化を図ることができる）。さらに第１レンズ群Ｇ１（Ｇ１’）に軸外光が入射する高さを抑えることができるので、軸外収差の補正にも有利である。第１レンズ群Ｇ１（Ｇ１’）が変倍時移動することで機構的に群間偏芯（レンズ群とレンズ群との偏芯）が発生しやすくなるが、上記のように第１レンズ群の構成を工夫することで、群間偏芯による製造誤差への影響を抑制している。
【００５９】
条件式（１）は、第１レンズ群Ｇ１（Ｇ１’）の焦点距離と、第２レンズ群Ｇ２（Ｇ２’）の焦点距離との比を規定している。条件式（１）を満足することで、長焦点距離端における球面収差と色収差および短焦点距離端におけるコマ収差と非点収差を含む諸収差を良好に補正することができる。
条件式（１）の上限を超えると、第１レンズ群Ｇ１（Ｇ１’）のパワーが強くなりすぎて、長焦点距離端における球面収差と色収差等が悪化してしまう。
条件式（１）の下限を超えると、第２レンズ群Ｇ２（Ｇ２’）のパワーが強くなりすぎて、短焦点距離端におけるコマ収差と非点収差等が悪化してしまう。
【００６０】
条件式（２）は、第１レンズ群Ｇ１（Ｇ１’）の焦点距離と、像側レンズ群（本実施形態では第４レンズ群Ｇ４または第６レンズ群Ｇ６’）の焦点距離との比を規定している。条件式（２）を満足することで、長焦点距離端における球面収差と色収差を含む諸収差を良好に補正するとともに、無限遠から至近距離への撮影距離の変化において、短焦点距離端での非点収差と長焦点距離端での球面収差の変動を抑えることができる。
条件式（２）の上限を超えると、第１レンズ群Ｇ１（Ｇ１’）のパワーが強くなりすぎて、長焦点距離端における球面収差と色収差等が悪化してしまう。
条件式（２）の下限を超えると、像側レンズ群のパワーが強くなりすぎて、無限遠から至近距離への撮影距離の変化において、短焦点距離端での非点収差と長焦点距離端での球面収差の変動が大きくなってしまう。
【００６１】
条件式（３）、（３’）及び（３”）は、短焦点距離端における第２レンズ群Ｇ２（Ｇ２’）の最も像側の面と中間レンズ群（本実施形態では第３レンズ群Ｇ３（Ｇ３’））の最も物体側の面との間の光軸上の距離と、短焦点距離端における全系の焦点距離との比を規定している。条件式（３）を満足することで、レンズ径とレンズ全長を抑えるとともに、必要なバックフォーカスを確保し、コマ収差、非点収差、球面収差を良好に補正することができる。この作用効果は条件式（３’）及び／又は（３”）を満足することでより顕著に得ることができる。
条件式（３）及び（３’）の上限を超えると、短焦点距離端における第１レンズ群Ｇ１（Ｇ１’）と第２レンズ群Ｇ２（Ｇ２’）の位置が設計上の像面Ｉから離れることで、レンズ径が大きくなるとともに、コマ収差と非点収差が悪化してしまう。また、レンズ全長が大きくなりすぎてしまう。
条件式（３）及び（３”）の下限を超えると、第２レンズ群Ｇ２（Ｇ２’）と中間レンズ群の距離が近くなりすぎて、必要なバックフォーカスを確保するのが困難になってしまう。また条件式（３）の下限を超えた状態でバックフォーカスを確保しようとすると、第２レンズ群Ｇ２（Ｇ２’）の発散パワーを強めなければならず、短焦点距離端における球面収差とコマ収差が悪化してしまう。
【００６２】
上述したように、像側レンズ群（本実施形態では第４レンズ群Ｇ４または第６レンズ群Ｇ６’）は、各１枚の正レンズと負レンズ（本実施形態では正レンズ４１と負レンズ４２または正レンズ６１Ａと負レンズ６２Ａ）から構成されている。
【００６３】
条件式（４）は、上記構成において、像側レンズ群中の各１枚の正レンズと負レンズの焦点距離の比を規定している。条件式（４）を満足することで、軸上色収差、球面収差、コマ収差を良好に補正することができる。
条件式（４）の上限を超えると、像側レンズ群中の正レンズのパワーが強くなりすぎて、軸上色収差の補正が困難になってしまう。
条件式（４）の下限を超えると、像側レンズ群中の負レンズのパワーが強くなりすぎて、球面収差とコマ収差の補正が困難になってしまう。
【００６４】
上述したように、数値実施例１−８では、中間レンズ群（本実施形態では第３レンズ群Ｇ３）が、物体側から順に、正の屈折力の前方サブレンズ群Ｇ３Ｆと、開口絞りＳと、正の屈折力の後方サブレンズ群Ｇ３Ｒとから構成されている。
【００６５】
条件式（５）及び（５’）は、上記構成において、前方サブレンズ群Ｇ３Ｆと後方サブレンズ群Ｇ３Ｒの焦点距離の比を規定している。条件式（５）を満足することで、球面収差、コマ収差、非点収差を良好に補正することができる。この作用効果は条件式（５’）を満足することでより顕著に得ることができる。
条件式（５）の上限を超えると、後方サブレンズ群Ｇ３Ｒのパワーが強くなりすぎて、無限遠から至近距離における球面収差とコマ収差の変動が大きくなってしまう。
条件式（５）及び（５’）の下限を超えると、前方サブレンズ群Ｇ３Ｆのパワーが強くなりすぎて、短焦点距離端から長焦点距離端への変倍における非点収差の変動が大きくなってしまう。
【００６６】
条件式（６）及び（６’）は、上記構成において、前方サブレンズ群Ｇ３Ｆの最も像側の面の曲率半径と、後方サブレンズ群Ｇ３Ｒの最も物体側の面の曲率半径との比を規定している。条件式（６）を満足することで、球面収差とコマ収差を良好に補正するとともに、製造誤差による性能（品質）のばらつきを抑えることができる。この作用効果は条件式（６’）を満足することでより顕著に得ることができる。
条件式（６）の上限を超えると、後方サブレンズ群Ｇ３Ｒの最も物体側の面の曲率半径が小さくなりすぎて、主に短焦点距離端での球面収差とコマ収差が補正困難になってしまう。また、後方サブレンズ群Ｇ３Ｒの偏芯感度が大きくなりすぎて、製造誤差による性能（品質）のばらつきが大きくなってしまう。
条件式（６）及び（６’）の下限を超えると、前方サブレンズ群Ｇ３Ｆの最も像側の面の曲率半径が小さくなりすぎて、発散パワーが強くなり、後方サブレンズ群Ｇ３Ｒに入射する光束が大きくなる。その結果、無限遠から至近距離における球面収差とコマ収差の変動が大きくなってしまう。
【００６７】
条件式（７）は、前方サブレンズ群Ｇ３Ｆの最も像側の面と後方サブレンズ群Ｇ３Ｒの最も物体側の面との間の短焦点距離端における光軸上の距離と、短焦点距離端における前方サブレンズ群Ｇ３Ｆと後方サブレンズ群Ｇ３Ｒの合成焦点距離との比を規定している。条件式（７）を満足することで、レンズ全長の短縮を図るとともに、異なる座標で発生する収差を良好に補正し、さらにズーム全域に亘ってコマ収差を良好に補正することができる。
条件式（７）の上限を超えると、前方サブレンズ群Ｇ３Ｆと後方サブレンズ群Ｇ３Ｒの間の距離が大きくなりすぎて、レンズ全長が増大してしまう。このため、軸外光の周辺光量を増やすためにレンズ径を大きくしなければならず、その結果、短焦点距離端におけるコマ収差の補正が困難になってしまう。
条件式（７）の下限を超えると、前方サブレンズ群Ｇ３Ｆと後方サブレンズ群Ｇ３Ｒの間の距離が小さくなりすぎて、これらのレンズ群を通過する光線の高さが近くなる結果、ズーム全域でのコマ収差の補正が困難になってしまう。
【００６８】
条件式（８）は、第１レンズ群Ｇ１（Ｇ１’）の焦点距離と、短焦点距離端における全系の焦点距離との比を規定している。条件式（８）を満足することで、レンズ全長の短縮を図るとともに、球面収差、コマ収差、非点収差、倍率色収差等を良好に補正することができる。
条件式（８）の上限を超えると、第１レンズ群Ｇ１（Ｇ１’）のパワーが弱くなりすぎて、第１レンズ群Ｇ１（Ｇ１’）の変倍時の移動量（繰り出し量）が増大する結果、レンズ全長が増大してしまう。また、軸外光束を通すために第１レンズ群Ｇ１（Ｇ１’）を径方向に大きくしなければならず、軸外のコマ収差、非点収差、倍率色収差等が悪化してしまう。
条件式（８）の下限を超えると、第１レンズ群Ｇ１（Ｇ１’）のパワーが強くなりすぎて、球面収差、コマ収差、非点収差、色収差等が補正困難になってしまう。
【００６９】
条件式（９）は、第１レンズ群Ｇ１（Ｇ１’）の焦点距離と、短焦点距離端及び長焦点距離端における全系の焦点距離の積の平方根との比を規定している。条件式（９）を満足することで、レンズ全長の短縮を図るとともに、球面収差、コマ収差、非点収差、倍率色収差等を良好に補正することができる。
条件式（９）の上限を超えると、第１レンズ群Ｇ１（Ｇ１’）のパワーが弱くなりすぎて、第１レンズ群Ｇ１（Ｇ１’）の変倍時の移動量（繰り出し量）が増大する結果、レンズ全長が増大してしまう。また、軸外光束を通すために第１レンズ群Ｇ１（Ｇ１’）を径方向に大きくしなければならず、軸外のコマ収差、非点収差、倍率色収差等が悪化してしまう。
条件式（９）の下限を超えると、第１レンズ群Ｇ１（Ｇ１’）のパワーが強くなりすぎて、球面収差、コマ収差、非点収差、色収差等が補正困難になってしまう。
【００７０】
条件式（１０）は、第２レンズ群Ｇ２（Ｇ２’）中の全ての負レンズ（本実施形態では、負レンズ２１と負レンズ２３、負レンズ２１’と負レンズ２４’、負レンズ２１Ａと負レンズ２３Ａ、負レンズ２１Ｂと負レンズ２４Ｂ、または、負レンズ２１Ｃと負レンズ２３Ｃ）のｄ線に対する屈折率の平均値を規定している。条件式（１０）を満足することで、ズーミング時の非点収差の変動を抑えるとともに、主に短焦点距離端におけるコマ収差を良好に補正することができる。
条件式（１０）の下限を超えると、ズーミング時の非点収差の変動が大きくなるとともに、主に短焦点距離端におけるコマ収差が補正困難になってしまう。
【００７１】
上述したように、第１レンズ群Ｇ１（Ｇ１’）は、物体側から順に、少なくとも１枚の正レンズ（本実施形態では、正レンズ１１、正レンズ１１’と正レンズ１２’、または正レンズ１１Ａ）と、負メニスカスレンズ（１２、１３’または１２Ａ）とを有している。
【００７２】
条件式（１１）は、上記構成において、第１レンズ群Ｇ１（Ｇ１’）中の負メニスカスレンズの短波長側における部分分散比とｄ線に対するアッベ数の関係を規定している。条件式（１１）を満足することで、主に長焦点距離端における二次スペクトルを低減して、軸上色収差を良好に補正することができる。
条件式（１１）を満足しないと、主に長焦点距離端における二次スペクトルが増加して、軸上色収差が補正困難になってしまう。
【００７３】
条件式（１２）は、上記構成において、第１レンズ群Ｇ１（Ｇ１’）中の負メニスカスレンズのｄ線に対するアッベ数を規定している。条件式（１２）を満足することで、軸上色収差と倍率色収差を良好に補正するとともに、主に長焦点距離端における二次スペクトルを低減して、軸上色収差を良好に補正することができる。
条件式（１２）の下限を超えると、軸上色収差と倍率色収差が過剰補正になってしまう。また、異常分散性の小さい硝材を選択せざるを得なくなるため、主に長焦点距離端における二次スペクトルが増加して、軸上色収差が補正困難になってしまう。
【００７４】
条件式（１３）及び（１３’）は、第１レンズ群Ｇ１（Ｇ１’）の焦点距離と、第１レンズ群Ｇ１（Ｇ１’）中の負メニスカスレンズの焦点距離との比を規定している。条件式（１３）を満足することで、球面収差、コマ収差、非点収差、色収差を良好に補正することができる。この作用効果は条件式（１３’）を満足することでより顕著に得ることができる。
条件式（１３）及び（１３’）の上限を超えると、第１レンズ群Ｇ１（Ｇ１’）中の負メニスカスレンズのパワーが弱くなりすぎて、当該負メニスカスレンズが負担する収差（球面収差、コマ収差、色収差）の補正が不十分になってしまう。
条件式（１３’）の下限を超えると、第１レンズ群Ｇ１（Ｇ１’）中の負メニスカスレンズのパワーが強くなりすぎて、ズーム全域に亘って球面収差、コマ収差、非点収差、色収差の補正が困難になってしまう。
【００７５】
条件式（１４）は、第１レンズ群Ｇ１（Ｇ１’）の焦点距離と、長焦点距離端における全系の焦点距離との比を規定している。条件式（１４）を満足することで、第１レンズ群Ｇ１（Ｇ１’）ひいてはレンズ全系の小型化を図るとともに、像面湾曲、球面収差、コマ収差を良好に補正することができる。
条件式（１４）の上限を超えると、第１レンズ群Ｇ１（Ｇ１’）のパワーが弱くなりすぎて、第１レンズ群Ｇ１（Ｇ１’）ひいてはレンズ全系が大型化してしまう。また、第１レンズ群Ｇ１（Ｇ１’）より後方で発生する像面湾曲を打ち消す効果が弱くなり、ズーム全域で像面がオーバーになりがちとなる。
条件式（１４）の下限を超えると、第１レンズ群Ｇ１（Ｇ１’）のパワーが強くなりすぎて、主に長焦点距離端側において球面収差とコマ収差が補正困難となってしまう。
【実施例】
【００７６】
次に具体的な数値実施例１−１１を示す。諸収差図及び横収差図並びに表中において、ｄ線、ｇ線、Ｃ線はそれぞれの波長に対する収差、Ｓはサジタル、Ｍはメリディオナル、FNO.はＦナンバー、fは全系の焦点距離、Wは半画角（゜）、Yは像高、fB はバックフォーカス、Lはレンズ全長、Rは曲率半径、dはレンズ厚またはレンズ間隔、N(d)はｄ線に対する屈折率、ν(d)はｄ線に対するアッベ数を示す。バックフォーカスはレンズ全系の最も像側の面から設計上の像面Ｉ（図６７〜図７１）までの距離である。Ｆナンバー、焦点距離、半画角、像高、バックフォーカス、レンズ全長及び変倍に伴って間隔が変化するレンズ間隔ｄは、短焦点距離端−中間焦点距離−長焦点距離端の順に示している。長さの単位は[mm]である。全数値実施例１−１１を通じて、非球面レンズは用いていない。但し光学系のいずれかの部分に非球面や回折面を用いることで収差補正の効果を得る態様も可能である。
【００７７】
［数値実施例１］
図１〜図６Ｄと表１〜表３は、本発明によるズームレンズ系の数値実施例１を示している。図１は短焦点距離端における無限遠合焦時のレンズ構成図、図２Ａ〜図２Ｄ及び図３Ａ〜図３Ｄはその諸収差図及び横収差図であり、図４は長焦点距離端における無限遠合焦時のレンズ構成図、図５Ａ〜図５Ｄ及び図６Ａ〜図６Ｄはその諸収差図及び横収差図である。表１は面データ、表２は各種データ、表３はレンズ群データである。
【００７８】
本数値実施例１のズームレンズ系は、物体側から順に、正の屈折力の第１レンズ群Ｇ１と、負の屈折力の第２レンズ群Ｇ２と、正の屈折力の第３レンズ群（中間レンズ群）Ｇ３と、負の屈折力の第４レンズ群（像側レンズ群）Ｇ４とから構成されている。第３レンズ群Ｇ３は、物体側から順に、正の屈折力の前方サブレンズ群Ｇ３Ｆと、開口絞りＳと、正の屈折力の後方サブレンズ群Ｇ３Ｒとから構成されている。
【００７９】
第１レンズ群Ｇ１は、物体側から順に、物体側に凸の正メニスカスレンズ１１と、物体側に凸の負メニスカスレンズ１２と、物体側に凸の正メニスカスレンズ１３とから構成されている。負メニスカスレンズ１２と正メニスカスレンズ１３は、接合されている。
【００８０】
第２レンズ群Ｇ２は、物体側から順に、両凹負レンズ２１と、物体側に凸の正メニスカスレンズ２２と、両凹負レンズ２３とから構成されている。両凹負レンズ２１と正メニスカスレンズ２２は、接合されている。
【００８１】
前方サブレンズ群Ｇ３Ｆは、物体側から順に、両凸正レンズ３１Ｆと、両凸正レンズ３２Ｆと、両凹負レンズ３３Ｆとから構成されている。両凸正レンズ３２Ｆと両凹負レンズ３３Ｆは、接合されている。
【００８２】
後方サブレンズ群Ｇ３Ｒは、物体側から順に、物体側に凸の負メニスカスレンズ３１Ｒと、両凸正レンズ３２Ｒと、物体側に凸の正メニスカスレンズ３３Ｒとから構成されている。
【００８３】
第４レンズ群Ｇ４は、物体側から順に、像側に凸の正メニスカスレンズ４１と、両凹負レンズ４２とから構成されている。
【００８４】
（表１）
面データ
面番号          R          d          N(d)        ν(d)
1            66.223      5.940      1.51633       64.14
2           990.033      0.150
3           119.740      1.700      1.78590       44.20
4            41.913      8.270      1.48749       70.24
5           533.575       d5
6          -200.863      1.200      1.79952       42.22
7            20.538      2.960      1.84666       23.78
8            77.368      2.101
9           -49.938      1.100      1.80400       46.58
10         3743.504       d10
11           74.271      3.220      1.72916       54.68
12         -101.460      0.200
13           33.328      4.920      1.49700       81.55
14          -58.601      1.200      1.80610       33.27
15           97.682      2.700
16絞           ∞       15.026
17           78.451      1.100      1.80610       33.27
18           30.401      1.242 
19           67.476      4.540      1.58913       61.13
20          -67.476      0.200
21           26.356      3.730      1.58313       59.37
22          200.093       d22
23         -225.082      2.110      1.78472       25.68
24          -47.838      1.968
25          -44.791      1.000      1.69680       55.53
26           29.861        -
負メニスカスレンズ１２の焦点距離ｆｎ：-82.849
負メニスカスレンズ１２の単波長側における部分分散比θｇＦｎ：0.5631
正メニスカスレンズ４１の焦点距離ｆＲｐ：77.012
両凹負レンズ４２の焦点距離ｆＲｎ：-25.572
（表２）
各種データ
ズーム比（変倍比）    5.15
短焦点距離端          中間焦点距離          長焦点距離端
FNO.           4.60                  5.14                  6.48
f            56.500               132.085               291.188
W              14.5                   6.0                   2.7
Y             14.24                 14.24                 14.24
fB           52.474                57.967                81.814
L           163.502               201.850               233.845
d5            2.392                53.371                79.101
d10          39.049                18.199                 3.044
d22           3.010                 5.736                 3.310
（表３）
レンズ群データ
群          始面          焦点距離
1              1           166.473
2              6           -33.874
3             11            35.379
3F            11            50.571
3R            17            45.787
4             23           -39.835
【００８５】
［数値実施例２］
図７〜図１２Ｄと表４〜表６は、本発明によるズームレンズ系の数値実施例２を示している。図７は短焦点距離端における無限遠合焦時のレンズ構成図、図８Ａ〜図８Ｄ及び図９Ａ〜図９Ｄはその諸収差図及び横収差図であり、図１０は長焦点距離端における無限遠合焦時のレンズ構成図、図１１Ａ〜図１１Ｄ及び図１２Ａ〜図１２Ｄはその諸収差図及び横収差図である。表４は面データ、表５は各種データ、表６はレンズ群データである。
【００８６】
この数値実施例２のレンズ構成は、以下の点を除いて、数値実施例１のレンズ構成と同様である。
（１）後方サブレンズ群Ｇ３Ｒの正レンズ３３Ｒが、両凸正レンズである。
【００８７】
（表４）
面データ
面番号          R          d          N(d)        ν(d)
1            65.353      5.940      1.51633       64.14
2           591.562      0.150
3           103.075      1.700      1.78590       44.20
4            41.348      8.270      1.48749       70.24
5           211.702        d5
6          -241.380      1.200      1.78590       44.20
7            17.988      2.960      1.84666       23.78
8            88.074      2.101
9           -51.768      1.100      1.91082       35.25
10          183.198       d10
11          160.717      3.220      1.72916       54.68
12          -90.648      0.200
13           26.431      4.920      1.49700       81.55
14          -41.142      1.200      1.80610       33.27
15          313.760      2.700
16絞          ∞        8.933
17           62.054      1.100      1.80610       33.27
18           25.205      1.242
19          109.122      4.540      1.58913       61.13
20          -57.553      0.200
21           24.527      3.730      1.58313       59.37
22         -231.862       d22
23         -100.601      2.110      1.84666       23.78
24          -36.003      1.952
25          -32.813      1.000      1.75500       52.32
26           33.533        -
負メニスカスレンズ１２の焦点距離ｆｎ：-88.933
負メニスカスレンズ１２の単波長側における部分分散比θｇＦｎ：0.5631
正メニスカスレンズ４１の焦点距離ｆＲｐ：65.246
両凹負レンズ４２の焦点距離ｆＲｎ：-21.825
（表５）
各種データ
ズーム比（変倍比）    5.13
短焦点距離端          中間焦点距離          長焦点距離端
FNO.           4.50                  4.79                  6.27
f            56.498                99.947               289.884
W              14.5                   8.0                   2.8
Y             14.24                 14.24                 14.24
fB           51.996                52.274                76.272
L           163.454               188.127               237.984
d5           13.914                50.109                93.695
d10          34.066                19.088                 3.000
d22           3.010                 6.188                 4.549
（表６）
レンズ群データ
群          始面          焦点距離
1              1           183.561
2              6           -30.635
3             11            29.677
3F            11            45.022
3R            17            39.852
4             23           -34.053
【００８８】
［数値実施例３］
図１３〜図１８Ｄと表７〜表９は、本発明によるズームレンズ系の数値実施例３を示している。図１３は短焦点距離端における無限遠合焦時のレンズ構成図、図１４Ａ〜図１４Ｄ及び図１５Ａ〜図１５Ｄはその諸収差図及び横収差図であり、図１６は長焦点距離端における無限遠合焦時のレンズ構成図、図１７Ａ〜図１７Ｄ及び図１８Ａ〜図１８Ｄはその諸収差図及び横収差図である。表７は面データ、表８は各種データ、表９はレンズ群データである。
【００８９】
この数値実施例３のレンズ構成は、数値実施例１のレンズ構成と同様である。
【００９０】
（表７）
面データ
面番号          R          d          N(d)        ν(d)
1            63.874      5.940      1.51633       64.14
2           875.746      0.150
3           101.587      1.700      1.79952       42.22
4            39.902      8.270      1.48749       70.24
5           482.084        d5
6          -439.858      1.200      1.79952       42.22
7            20.096      2.960      1.84666       23.78
8            68.596      2.101
9           -50.048      1.100      1.80400       46.58
10          970.828       d10
11           62.983      3.220      1.72916       54.68
12         -477.061      0.200
13           29.663      4.920      1.49700       81.55
14          -56.142      1.200      1.80610       33.27
15          135.791      2.700
16絞           ∞       10.220
17           59.144      1.100      1.80610       33.27
18           25.469      1.242
19          112.437      4.540      1.58913       61.13
20          -61.662      0.200
21           24.180      3.730      1.58313       59.37
22          338.379       d22
23         -376.821      2.110      1.78472       25.68
24          -38.842      1.993
25          -34.136      1.000      1.77250       49.60
26           32.904        -
負メニスカスレンズ１２の焦点距離ｆｎ：-83.209
負メニスカスレンズ１２の単波長側における部分分散比θｇＦｎ：0.5672
正メニスカスレンズ４１の焦点距離ｆＲｐ：55.035
両凹負レンズ４２の焦点距離ｆＲｎ：-21.549
（表８）
各種データ
ズーム比（変倍比）    5.15
短焦点距離端          中間焦点距離          長焦点距離端
FNO.           4.60                  5.08                  6.52
f            56.500               131.898               291.179
W              14.5                   6.0                   2.8
Y             14.24                 14.24                 14.24
fB           52.000                57.715                81.923
L           163.550               195.345               217.643
d5            2.392                47.975                67.624
d10          42.965                22.371                 3.000
d22           4.397                 5.489                 3.300
（表９）
レンズ群データ
群          始面          焦点距離
1              1           148.091
2              6           -34.307
3             11            33.764
3F            11            51.386
3R            17            47.215
4             23           -37.837
【００９１】
［数値実施例４］
図１９〜図２４Ｄと表１０〜表１２は、本発明によるズームレンズ系の数値実施例４を示している。図１９は短焦点距離端における無限遠合焦時のレンズ構成図、図２０Ａ〜図２０Ｄ及び図２１Ａ〜図２１Ｄはその諸収差図及び横収差図であり、図２２は長焦点距離端における無限遠合焦時のレンズ構成図、図２３Ａ〜図２３Ｄ及び図２４Ａ〜図２４Ｄはその諸収差図及び横収差図である。表１０は面データ、表１１は各種データ、表１２はレンズ群データである。
【００９２】
この数値実施例４のレンズ構成は、以下の点を除いて、数値実施例１のレンズ構成と同様である。
（１）第１レンズ群Ｇ１が、物体側から順に、物体側に凸の正メニスカスレンズ１１’と、物体側に凸の正メニスカスレンズ１２’と、物体側に凸の負メニスカスレンズ１３’と、物体側に凸の正メニスカスレンズ１４’とから構成されている。負メニスカスレンズ１３’と正メニスカスレンズ１４’は、接合されている。
（２）第２レンズ群Ｇ２が、物体側から順に、物体側に凸の負メニスカスレンズ２１’と、物体側に凸の正メニスカスレンズ２２’と、像側に凸の正メニスカスレンズ２３’と、像側に凸の負メニスカスレンズ２４’とから構成されている。負メニスカスレンズ２１’と正メニスカスレンズ２２’は、接合されている。正メニスカスレンズ２３’と負メニスカスレンズ２４’は、接合されている。
【００９３】
（表１０）
面データ
面番号          R          d          N(d)        ν(d)
1            90.731      5.940      1.51633       64.14
2           835.644      0.200
3            93.441      5.900      1.49700       81.55
4           264.691      0.834
5           231.354      1.700      1.78590       44.20
6            52.840      8.270      1.48749       70.24
7           557.551        d7
8           511.658      1.200      1.77250       49.60
9            19.983      2.960      1.84666       23.78
10           50.884      3.000
11          -51.918      2.900      1.80518       25.43
12          -24.951      1.100      1.91650       31.60
13        -1369.725       d13
14           89.562      3.220      1.72916       54.68
15          -92.318      0.200
16           31.986      4.920      1.49700       81.55
17          -55.705      1.200      1.80610       33.27
18          110.260      2.700
19絞           ∞       15.000
20           77.370      1.100      1.85026       32.27
21           30.463      1.242
22           64.484      4.540      1.58913       61.13
23          -75.203      0.200
24           26.635      3.730      1.58313       59.37
25         2317.443       d25
26         -169.009      2.110      1.78472       25.68
27          -39.960      2.028
28          -34.456      1.000      1.69680       55.53
29           31.788        -
負メニスカスレンズ１３’の焦点距離ｆｎ：-87.503
負メニスカスレンズ１３’の単波長側における部分分散比θｇＦｎ：0.5631
正メニスカスレンズ４１の焦点距離ｆＲｐ：66.214
両凹負レンズ４２の焦点距離ｆＲｎ：-23.583
（表１１）
各種データ
ズーム比（変倍比）    5.12
短焦点距離端          中間焦点距離          長焦点距離端
FNO.           4.12                  4.30                  5.75
f            56.487               100.026               289.281
W              14.5                   8.0                   2.8
Y             14.24                 14.24                 14.24
fB           52.027                51.131                67.820
L           171.873               194.766               237.999
d7            2.392                38.962                86.683
d13          37.250                20.522                 3.000
d25           3.010                 6.957                 3.302
（表１２）
レンズ群データ
群          始面          焦点距離
1              1           174.680
2              8           -32.060
3             14            34.664
3F            14            50.014
3R            20            43.359
4             26           -38.402
【００９４】
［数値実施例５］
図２５〜図３０Ｄと表１３〜表１５は、本発明によるズームレンズ系の数値実施例５を示している。図２５は短焦点距離端における無限遠合焦時のレンズ構成図、図２６Ａ〜図２６Ｄ及び図２７Ａ〜図２７Ｄはその諸収差図及び横収差図であり、図２８は長焦点距離端における無限遠合焦時のレンズ構成図、図２９Ａ〜図２９Ｄ及び図３０Ａ〜図３０Ｄはその諸収差図及び横収差図である。表１３は面データ、表１４は各種データ、表１５はレンズ群データである。
【００９５】
この数値実施例５のレンズ構成は、以下の点を除いて、数値実施例１のレンズ構成と同様である。
（１）後方サブレンズ群Ｇ３Ｒの正レンズ３３Ｒが、両凸正レンズである。
【００９６】
（表１３）
面データ
面番号          R          d          N(d)        ν(d)
1            71.045      5.940      1.48749       70.24
2          3575.886      0.150
3           103.355      1.700      1.78590       44.20
4            43.306      8.270      1.48749       70.24
5           230.704        d5
6          -331.517      1.200      1.78590       44.20
7            17.191      2.960      1.84666       23.78
8            81.364      2.101
9           -47.539      1.100      1.91082       35.25
10          203.654       d10
11          166.532      3.220      1.72916       54.68
12          -97.847      0.400
13           26.367      4.920      1.49700       81.55
14          -38.149      1.200      1.80610       33.27
15          650.959      2.700
16絞           ∞        d16
17           65.122      1.100      1.80610       33.27
18           25.718      1.242
19          105.740      4.540      1.58913       61.13
20          -50.907      0.200
21           24.182      3.730      1.58313       59.37
22         -485.636       d22 
23         -115.093      2.110      1.84666       23.78
24          -37.242      1.952
25          -33.786      1.000      1.75500       52.32
26           31.190        -
負メニスカスレンズ１２の焦点距離ｆｎ：-96.041
負メニスカスレンズ１２の単波長側における部分分散比θｇＦｎ：0.5631
正メニスカスレンズ４１の焦点距離ｆＲｐ：64.230
両凹負レンズ４２の焦点距離ｆＲｎ：-21.334
（表１４）
各種データ
ズーム比（変倍比）    5.17
短焦点距離端          中間焦点距離          長焦点距離端
FNO.           4.50                  5.15                  6.60
f            55.918                99.787               288.865
W              14.6                   8.0                   2.8
Y             14.24                 14.24                 14.24
fB           52.000                62.328                79.875
L           163.331               199.249               238.001
d5           14.862                50.781                89.532
d10          33.680                24.407                 3.000
d16           8.044                 6.911                 9.036
d22           3.010                 3.088                 4.823
（表１５）
レンズ群データ
群          始面          焦点距離
1              1           179.265
2              6           -29.948
3F            11            45.234
3R            17            38.896
4             23           -33.281
【００９７】
［数値実施例６］
図３１〜図３６Ｄと表１６〜表１８は、本発明によるズームレンズ系の数値実施例６を示している。図３１は短焦点距離端における無限遠合焦時のレンズ構成図、図３２Ａ〜図３２Ｄ及び図３３Ａ〜図３３Ｄはその諸収差図及び横収差図であり、図３４は長焦点距離端における無限遠合焦時のレンズ構成図、図３５Ａ〜図３５Ｄ及び図３６Ａ〜図３６Ｄはその諸収差図及び横収差図である。表１６は面データ、表１７は各種データ、表１８はレンズ群データである。
【００９８】
この数値実施例６のレンズ構成は、以下の点を除いて、数値実施例１のレンズ構成と同様である。
（１）第２レンズ群Ｇ２の負レンズ２３が、像側に凸の負メニスカスレンズである。
【００９９】
（表１６）
面データ
面番号          R          d          N(d)        ν(d)
1            65.942      5.940      1.51633       64.14
2          1665.559      0.150
3           115.444      1.700      1.78590       44.20
4            40.603      8.270      1.48749       70.24
5           503.028        d5
6          -232.556      1.200      1.79952       42.22
7            18.688      2.960      1.84666       23.78
8            65.405      2.101
9           -43.080      1.100      1.80400       46.58
10         -930.355       d10
11           86.168      3.220      1.72916       54.68
12         -110.182      0.200
13           30.070      4.920      1.49700       81.55
14          -60.568      1.200      1.80610       33.27
15          112.705      2.700
16絞          ∞          d16
17           84.228      1.100      1.80610       33.27
18           28.175      1.242
19           60.776      4.540      1.58913       61.13
20          -58.331      0.200
21           23.840      3.730      1.58313       59.37
22          139.574       d22
23         -162.939      2.110      1.78472       25.68
24          -43.808      1.965
25          -40.870      1.000      1.69680       55.53
26           31.693        -
負メニスカスレンズ１２の焦点距離ｆｎ：-80.499
負メニスカスレンズ１２の単波長側における部分分散比θｇＦｎ：0.5631
正メニスカスレンズ４１の焦点距離ｆＲｐ：75.765
両凹負レンズ４２の焦点距離ｆＲｎ：-25.474
（表１７）
各種データ
ズーム比（変倍比）    5.15
短焦点距離端          中間焦点距離          長焦点距離端
FNO.           4.60                  5.60                  6.59
f            56.500               128.147               291.184
W              14.5                   6.2                   2.7
Y             14.24                 14.24                 14.24
fB           52.000                68.127                82.210
L           163.475               207.429               234.943
d5            6.742                50.696                78.210
d10          35.022                20.601                 3.000
d16          15.153                13.435                16.675
d22           3.010                 3.022                 3.300
（表１８）
レンズ群データ
群          始面          焦点距離
1              1           160.852
2              6           -30.988
3F            11            48.659
3R            17            43.573
4             23           -39.854
【０１００】
［数値実施例７］
図３７〜図４２Ｄと表１９〜表２１は、本発明によるズームレンズ系の数値実施例７を示している。図３７は短焦点距離端における無限遠合焦時のレンズ構成図、図３８Ａ〜図３８Ｄ及び図３９Ａ〜図３９Ｄはその諸収差図及び横収差図であり、図４０は長焦点距離端における無限遠合焦時のレンズ構成図、図４１Ａ〜図４１Ｄ及び図４２Ａ〜図４２Ｄはその諸収差図及び横収差図である。表１９は面データ、表２０は各種データ、表２１はレンズ群データである。
【０１０１】
この数値実施例７のレンズ構成は、以下の点を除いて、数値実施例１のレンズ構成と同様である。
（１）第１レンズ群Ｇ１が、物体側から順に、物体側に凸の正メニスカスレンズ１１’と、物体側に凸の正メニスカスレンズ１２’と、物体側に凸の負メニスカスレンズ１３’と、物体側に凸の正メニスカスレンズ１４’とから構成されている。負メニスカスレンズ１３’と正メニスカスレンズ１４’は、接合されている。
（２）第２レンズ群Ｇ２が、物体側から順に、両凹負レンズ２１’と、物体側に凸の正メニスカスレンズ２２’と、像側に凸の正メニスカスレンズ２３’と、像側に凸の負メニスカスレンズ２４’とから構成されている。両凹負レンズ２１’と正メニスカスレンズ２２’は、接合されている。正メニスカスレンズ２３’と負メニスカスレンズ２４’は、接合されている。
（３）後方サブレンズ群Ｇ３Ｒの正レンズ３３Ｒが、両凸正レンズである。
【０１０２】
（表１９）
面データ
面番号          R          d          N(d)        ν(d)
1            83.019      5.940      1.51633       64.14
2           759.176      0.200
3            96.073      5.900      1.49700       81.55
4           263.439      0.834
5           265.947      1.700      1.78590       44.20
6            51.281      8.270      1.48749       70.24
7          2486.975        d7 
8          -609.467      1.200      1.77250       49.60 
9            20.053      2.960      1.84666       23.78
10           58.046      3.000
11          -48.533      2.900      1.80518       25.43
12          -23.544      1.100      1.91650       31.60
13        -1119.010       d13
14           84.036      3.220      1.72916       54.68
15          -81.719      0.200
16           35.226      4.920      1.49700       81.55
17          -46.205      1.200      1.80610       33.27
18          116.068      2.700
19絞          ∞         d19
20           57.476      1.100      1.85026       32.27
21           29.873      1.242
22           83.008      4.540      1.58913       61.13
23          -72.432      0.200
24           26.999      3.730      1.58313       59.37
25         -581.710       d25
26         -163.715      2.110      1.78472       25.68
27          -43.020      2.028
28          -40.554      1.000      1.69680       55.53
29           28.413        -
負メニスカスレンズ１３’の焦点距離ｆｎ：-81.123
負メニスカスレンズ１３’の単波長側における部分分散比θｇＦｎ：0.5631
正メニスカスレンズ４１の焦点距離ｆＲｐ：73.795
両凹負レンズ４２の焦点距離ｆＲｎ：-23.836
（表２０）
各種データ
ズーム比（変倍比）    5.24
短焦点距離端          中間焦点距離          長焦点距離端
FNO.           4.12                  4.77                  5.85
f            55.555               100.445               291.199
W              14.8                   8.0                   2.7
Y             14.24                 14.24                 14.24
fB           52.000                65.617                80.754
L           166.321               201.011               240.057
d7            2.427                37.118                76.164
d13          33.497                24.699                 3.061
d19          12.239                 7.965                13.630
d25           3.963                 3.418                 4.254
（表２１）
レンズ群データ
群          始面          焦点距離
1              1           164.502
2              8           -29.889
3F            14            51.442
3R            20            39.692
4             26           -36.641
【０１０３】
［数値実施例８］
図４３〜図４８Ｄと表２２〜表２４は、本発明によるズームレンズ系の数値実施例８を示している。図４３は短焦点距離端における無限遠合焦時のレンズ構成図、図４４Ａ〜図４４Ｄ及び図４５Ａ〜図４５Ｄはその諸収差図及び横収差図であり、図４６は長焦点距離端における無限遠合焦時のレンズ構成図、図４７Ａ〜図４７Ｄ及び図４８Ａ〜図４８Ｄはその諸収差図及び横収差図である。表２２は面データ、表２３は各種データ、表２４はレンズ群データである。
【０１０４】
この数値実施例８のレンズ構成は、数値実施例６のレンズ構成と同様である。
【０１０５】
（表２２）
面データ
面番号          R          d          N(d)        ν(d)
1            66.185      5.940      1.51633       64.14
2          1830.880      0.150
3           115.982      1.700      1.78590       44.20
4            40.698      8.270      1.48749       70.24
5           518.618        d5
6          -258.147      1.200      1.79952       42.20
7            18.696      2.960      1.84666       23.78
8            66.301      2.101
9           -43.026      1.100      1.80400       46.58
10        -1304.849       d10
11           84.443      3.220      1.72916       54.68
12         -105.929      0.200
13           29.495      4.920      1.49700       81.55
14          -62.708      1.200      1.80610       33.27
15           95.293      2.700
16絞           ∞        d16
17           94.317      1.100      1.80610       33.27
18           28.435      1.242
19           59.789      4.540      1.58913       61.13
20          -57.035      0.200
21           23.908      3.730      1.58313       59.37
22          146.952       d22
23         -174.932      2.110      1.78472       25.68
24          -43.449      1.978
25          -39.978      1.000      1.69680       55.53
26           32.076        -
負メニスカスレンズ１２の焦点距離ｆｎ：-80.583
負メニスカスレンズ１２の単波長側における部分分散比θｇＦｎ：0.5631
正メニスカスレンズ４１の焦点距離ｆＲｐ：73.150
両凹負レンズ４２の焦点距離ｆＲｎ：-25.396
（表２３）
各種データ
ズーム比（変倍比）    5.15
短焦点距離端          中間焦点距離          長焦点距離端
FNO.           4.60                  5.58                  6.58
f            56.500               121.921               291.183
W              14.5                   6.6                   2.7
Y             14.24                 14.24                 14.24
fB           52.000                67.988                82.212
L           163.483               203.077              235.0003
d5            6.360                45.954                77.877
d10          35.327                20.675                 3.000
d16          15.053                13.327               17.0505
d22           3.182                 3.572                 3.300
（表２４）
レンズ群データ
群          始面          焦点距離
1              1           160.585
2              6           -31.252
3F            11            49.107
3R            17            43.822
4             23           -40.527
【０１０６】
［数値実施例９］
図４９〜図５４Ｄと表２５〜表２７は、本発明によるズームレンズ系の数値実施例９を示している。図４９は短焦点距離端における無限遠合焦時のレンズ構成図、図５０Ａ〜図５０Ｄ及び図５１Ａ〜図５１Ｄはその諸収差図及び横収差図であり、図５２は長焦点距離端における無限遠合焦時のレンズ構成図、図５３Ａ〜図５３Ｄ及び図５４Ａ〜図５４Ｄはその諸収差図及び横収差図である。表２５は面データ、表２６は各種データ、表２７はレンズ群データである。
【０１０７】
本数値実施例９のズームレンズ系は、物体側から順に、正の屈折力の第１レンズ群Ｇ１’と、負の屈折力の第２レンズ群Ｇ２’と、正の屈折力の第３レンズ群（中間レンズ群）Ｇ３’と、負の屈折力の第４レンズ群（中間レンズ群）Ｇ４’と、正の屈折力の第５レンズ群（中間レンズ群）Ｇ５’と、負の屈折力の第６レンズ群（像側レンズ群）Ｇ６’とから構成されている。第３レンズ群Ｇ３’と第４レンズ群Ｇ４’の間（第３レンズ群Ｇ３’の直後）には、第３レンズ群Ｇ３’と一体に移動する絞りＳが設けられている。
【０１０８】
第１レンズ群Ｇ１’は、物体側から順に、物体側に凸の正メニスカスレンズ１１Ａと、物体側に凸の負メニスカスレンズ１２Ａと、物体側に凸の正メニスカスレンズ１３Ａとから構成されている。負メニスカスレンズ１２Ａと正メニスカスレンズ１３Ａは、接合されている。
【０１０９】
第２レンズ群Ｇ２’は、物体側から順に、両凹負レンズ２１Ａと、物体側に凸の正メニスカスレンズ２２Ａと、両凹負レンズ２３Ａとから構成されている。両凹負レンズ２１Ａと正メニスカスレンズ２２Ａは、接合されている。
【０１１０】
第３レンズ群Ｇ３’は、物体側から順に、像側に凸の正メニスカスレンズ３１Ａと、両凸正レンズ３２Ａと、像側に凸の負メニスカスレンズ３３Ａとから構成されている。両凸正レンズ３２Ａと負メニスカスレンズ３３Ａは、接合されている。
【０１１１】
第４レンズ群Ｇ４’は、像側に凸の負メニスカス単レンズ４１Ａから構成されている。
【０１１２】
第５レンズ群Ｇ５’は、物体側から順に、像側に凸の正メニスカスレンズ５１Ａと、両凸正レンズ５２Ａと、像側に凸の負メニスカスレンズ５３Ａとから構成されている。両凸正レンズ５２Ａと負メニスカスレンズ５３Ａは、接合されている。
【０１１３】
第６レンズ群Ｇ６’は、物体側から順に、像側に凸の正メニスカスレンズ６１Ａと、両凹負レンズ６２Ａとから構成されている。正メニスカスレンズ６１Ａと両凹負レンズ６２Ａは、接合されている。
【０１１４】
（表２５）
面データ
面番号          R          d          N(d)        ν(d)
1            72.212      5.940      1.48749       70.24
2           579.395      0.150
3            98.922      1.700      1.76200       40.10
4            45.041      8.270      1.49700       81.55
5           253.781        d5
6          -186.376      1.200      1.80440       39.58
7            23.884      2.960      1.84666       23.78
8           167.039      2.101
9           -52.427      1.100      1.80400       46.58
10          278.728       d10
11         -120.109      3.220      1.65844       50.88
12          -37.628      0.200
13           46.936      4.920      1.49700       81.55
14          -58.295      1.200      1.90366       31.31
15         -165.766      2.700
16絞           ∞        d16
17          -37.889      1.100      1.80440       39.58
18          -81.680       d18
19         -257.534      3.540      1.77250       49.62
20          -41.773      0.200
21           55.108      5.272      1.48749       70.24
22          -38.704      1.000      1.90366       31.31
23         -111.116       d23
24         -467.599      2.110      1.84666       23.78
25          -45.763      1.000      1.77250       49.60
26           33.276        -
負メニスカスレンズ１２Ａの焦点距離ｆｎ：-110.021
負メニスカスレンズ１２Ａの単波長側における部分分散比θｇＦｎ：0.5765
正メニスカスレンズ６１Ａの焦点距離ｆＲｐ：59.778
両凹負レンズ６２Ａの焦点距離ｆＲｎ：-24.804
（表２６）
各種データ
ズーム比（変倍比）    4.04
短焦点距離端          中間焦点距離          長焦点距離端
FNO.           4.10                  4.96                  6.40
f            71.999               147.929               291.198
W              11.2                   5.4                   2.7
Y             14.24                 14.24                 14.24
fB           39.001                44.450                57.719
L           165.197               210.341               234.706
d5            3.908                49.052                73.418
d10          25.643                16.628                 8.090
d16           4.503                19.698                40.916
d18          20.239                14.059                 1.379
d23          22.018                16.569                 3.300
（表２７）
レンズ群データ
群          始面          焦点距離
1              1           167.146
2              6           -37.986
3             11            46.730
4             17           -88.852
5             19            45.428
6             24           -42.641
【０１１５】
［数値実施例１０］
図５５〜図６０Ｄと表２８〜表３０は、本発明によるズームレンズ系の数値実施例１０を示している。図５５は短焦点距離端における無限遠合焦時のレンズ構成図、図５６Ａ〜図５６Ｄ及び図５７Ａ〜図５７Ｄはその諸収差図及び横収差図であり、図５８は長焦点距離端における無限遠合焦時のレンズ構成図、図５９Ａ〜図５９Ｄ及び図６０Ａ〜図６０Ｄはその諸収差図及び横収差図である。表２８は面データ、表２９は各種データ、表３０はレンズ群データである。
【０１１６】
この数値実施例１０のレンズ構成は、以下の点を除いて、数値実施例９のレンズ構成と同様である。
（１）第２レンズ群Ｇ２’が、物体側から順に、両凹負レンズ２１Ｂと、物体側に凸の正メニスカスレンズ２２Ｂと、像側に凸の正メニスカスレンズ２３Ｂと、両凹負レンズ２４Ｂとから構成されている。両凹負レンズ２１Ｂと正メニスカスレンズ２２Ｂは、接合されている。正メニスカスレンズ２３Ｂと両凹負レンズ２４Ｂは、接合されている。
（２）第３レンズ群Ｇ３’の正レンズ３１Ａが、両凸正レンズから構成されている。
（３）第５レンズ群Ｇ５’の正レンズ５１Ａが、両凸正レンズから構成されている。
【０１１７】
（表２８）
面データ
面番号          R          d          N(d)        ν(d)
1            57.404      5.940      1.48749       70.24
2           297.397      0.150
3            86.414      1.700      1.79952       42.22
4            37.911      8.270      1.48749       70.24
5           299.133        d5
6           -72.870      1.200      1.79952       42.22
7            25.156      3.142      1.75520       27.51
8           180.148      2.208
9           -81.394      4.241      1.84666       23.88
10          -26.838      1.100      1.88300       40.80
11          223.027       d11
12          111.937      3.859      1.60300       65.44
13         -167.214      0.200
14           65.846      4.964      1.53775       74.70
15          -31.545      1.200      1.90366       31.31
16          -43.474      2.700
17絞          ∞         d17
18          -37.620      1.100      1.85026       32.27
19          -89.821      d19
20          108.347      3.540      1.72000       43.69
21          -50.926      0.200
22           43.634      5.272      1.49700       81.55
23          -39.401      1.000      1.90366       31.31
24         -222.674       d24
25          -71.992      2.110      1.84666       23.78
26          -32.089      1.000      1.72916       54.68
27           35.857        -
負メニスカスレンズ１２Ａの焦点距離ｆｎ：-85.816
負メニスカスレンズ１２Ａの単波長側における部分分散比θｇＦｎ：0.5672
正メニスカスレンズ６１Ａの焦点距離ｆＲｐ：66.761
両凹負レンズ６２Ａの焦点距離ｆＲｎ：-23.081
（表２９）
各種データ
ズーム比（変倍比）    5.19
短焦点距離端          中間焦点距離          長焦点距離端
FNO.           4.10                  4.88                  6.45
f            56.037                99.980               290.976
W              14.7                   8.1                   2.8
Y             14.24                 14.24                 14.24
fB           38.059                49.322                67.757
L           158.226               193.898               232.847
d5            2.338                38.010                76.959
d11          23.630                20.402                 7.614
d17           3.824                 7.053                19.841
d19          20.830                12.916                 2.172
d24          14.449                11.100                 3.408
（表３０）
レンズ群データ
群          始面          焦点距離
1              1           152.857
2              6           -29.190
3             12            39.279
4             18           -76.877
5             20            38.053
6             25           -34.780
【０１１８】
［数値実施例１１］
図６１〜図６６Ｄと表３１〜表３３は、本発明によるズームレンズ系の数値実施例１１を示している。図６１は短焦点距離端における無限遠合焦時のレンズ構成図、図６２Ａ〜図６２Ｄ及び図６３Ａ〜図６３Ｄはその諸収差図及び横収差図であり、図６４は長焦点距離端における無限遠合焦時のレンズ構成図、図６５Ａ〜図６５Ｄ及び図６６Ａ〜図６６Ｄはその諸収差図及び横収差図である。表３１は面データ、表３２は各種データ、表３３はレンズ群データである。
【０１１９】
この数値実施例１１のレンズ構成は、以下の点を除いて、数値実施例９のレンズ構成と同様である。
（１）第２レンズ群Ｇ２’が、物体側から順に、両凹負レンズ２１Ｃと、物体側に凸の正メニスカスレンズ２２Ｃと、両凹負レンズ２３Ｃと、物体側に凸の正メニスカスレンズ２４Ｃとから構成されている。両凹負レンズ２１Ｃと正メニスカスレンズ２２Ｃは、接合されている。両凹負レンズ２３Ｃと正メニスカスレンズ２４Ｃは、接合されている。
（２）第３レンズ群Ｇ３’が、物体側から順に、両凸正レンズ３１Ｂと、物体側に凸の負メニスカスレンズ３２Ｂと、両凸正レンズ３３Ｂとから構成されている。負メニスカスレンズ３２Ｂと両凸正レンズ３３Ｂは、接合されている。
（３）第５レンズ群Ｇ５’の正レンズ５１Ａが、両凸正レンズから構成されている。
【０１２０】
（表３１）
面データ
面番号          R          d          N(d)        ν(d)
1            66.810      4.968      1.61800       63.33
2           374.923      0.506
3            89.490      1.700      1.79952       42.22
4            39.229      8.270      1.48749       70.24
5           129.716        d5
6          -108.797      1.200      1.80400       46.58
7            36.380      3.142      1.84666       23.78
8           418.017      2.208
9           -52.941      1.100      1.79952       42.22
10           66.015      2.480      1.84666       23.78
11          181.695       d11
12           67.996      3.859      1.60300       65.44
13         -138.171      0.214
14           62.542      1.200      1.90366       31.31
15           32.964      4.960      1.53775       74.70
16          -63.402      2.700
17絞           ∞        d17
18          -33.581      1.100      1.80400       46.58
19          -66.971       d19
20          185.732      3.540      1.74320       49.34
21          -45.898      0.200
22           38.513      5.272      1.49700       81.55
23          -45.292      1.200      1.91650       31.60
24         -471.849       d24
25          -99.089      2.110      1.84666       23.78
26          -32.089      1.000      1.72916       54.68
27           31.171        -
負メニスカスレンズ１２Ａの焦点距離ｆｎ：-88.696
負メニスカスレンズ１２Ａの単波長側における部分分散比θｇＦｎ：0.5672
正メニスカスレンズ６１Ａの焦点距離ｆＲｐ：55.255
両凹負レンズ６２Ａの焦点距離ｆＲｎ：-21.541
（表３２）
各種データ
ズーム比（変倍比）    5.25
短焦点距離端          中間焦点距離          長焦点距離端
FNO.           4.20                  4.61                  6.42
f            55.443               101.060               291.003
W              14.9                   8.0                   2.7
Y             14.24                 14.24                 14.24
fB           39.132                46.000                60.457
L           165.358               198.231               237.540
d5            2.717                47.731                88.629
d11          35.162                22.807                 3.255
d17           6.820                 7.034                24.997
d19          20.558                13.178                 3.973
d24           8.040                 8.552                 3.300
（表３３）
レンズ群データ
群          始面          焦点距離
1              1           187.869
2              6           -35.510
3             12            41.196
4             18           -85.024
5             20            37.886
6             25           -35.047
【０１２１】
各数値実施例の各条件式に対する値を表３４に示す。なお、数値実施例９〜数値実施例１１については、前提となるレンズ構成を満足しないので（中間レンズ群の前方サブレンズ群と後方サブレンズ群を規定できないので）、条件式（５）〜条件式（７）の対応数値を計算することができない。
（表３４）
実施例１      実施例２      実施例３      実施例４
条件式（１）      -4.91         -5.99         -4.32         -5.45
条件式（２）      -4.18         -5.39         -3.91         -4.55
条件式（３）       0.69          0.60          0.76          0.66
条件式（４）      -3.01         -2.99         -2.55         -2.81
条件式（５）       1.10          1.13          1.09          1.15
条件式（６）       1.25          5.06          2.30          1.43
条件式（７）       0.50          0.39          0.38          0.51
条件式（８）       2.95          3.25          2.62          3.09
条件式（９）       1.30          1.43          1.15          1.37
条件式（１０）    1.802         1.848         1.802         1.845
条件式（１１）  -0.0066       -0.0066       -0.0058       -0.0066
条件式（１２）    44.20         44.20         42.22         44.20
条件式（１３）    -2.01         -2.06         -1.78         -2.00
条件式（１４）     0.57          0.63          0.51          0.60
実施例５      実施例６      実施例７      実施例８
条件式（１）      -5.99         -5.19         -5.50         -5.14
条件式（２）      -5.39         -4.04         -4.49         -3.96
条件式（３）       0.60          0.62          0.60          0.63
条件式（４）      -3.01         -2.97         -3.10         -2.88
条件式（５）       1.16          1.12          1.30          1.12
条件式（６）      10.00          1.34          2.02          1.01
条件式（７）       0.37          0.52          0.45          0.51
条件式（８）       3.21          2.85          2.96          2.84
条件式（９）       1.41          1.25          1.29          1.25
条件式（１０）    1.848         1.802         1.845         1.802
条件式（１１）  -0.0066       -0.0066       -0.0066       -0.0066
条件式（１２）    44.20         44.20         44.20         44.20
条件式（１３）    -1.87         -2.00         -2.03         -1.99
条件式（１４）     0.62          0.55          0.56          0.55
実施例９      実施例１０    実施例１１
条件式（１）      -4.40         -5.24         -5.29
条件式（２）      -3.92         -4.39         -5.36
条件式（３）       0.36          0.42          0.63
条件式（４）      -2.41         -2.89         -2.57
条件式（５）         -             -             -
条件式（６）         -             -             -
条件式（７）         -             -             -
条件式（８）       2.32          2.73          3.39
条件式（９）       1.15          1.20          1.48
条件式（１０）    1.804         1.841         1.802
条件式（１１）  -0.0001       -0.0058       -0.0058
条件式（１２）    40.10         42.22         42.22
条件式（１３）    -1.52         -1.78         -2.12
条件式（１４）     0.57          0.53          0.65
【０１２２】
表３４から明らかなように、数値実施例１〜数値実施例８は、条件式（１）〜条件式（１４）を満足しており、数値実施例９〜数値実施例１１は、条件式（１）〜条件式（４）、条件式（８）〜条件式（１４）を満足している。また、諸収差図及び横収差図から明らかなように諸収差及び横収差は比較的よく補正されている。
【０１２３】
本発明の特許請求の範囲に含まれるズームレンズ系に、実質的なパワーを有さないレンズまたはレンズ群を追加したとしても、本発明の技術的範囲に含まれる（本発明の技術的範囲を回避したことにはならない）。
【０１２４】
また、本発明を回避する為、パワーの弱いダミーレンズ群を追加することは言うまでも無く容易であるので、それによって本発明の技術思想を回避したことにはならないが、そのような意味でも中間レンズ群内の群数には自由度がある。（これは他のレンズ群にも言えることである。）
【符号の説明】
【０１２５】
Ｇ１  正の屈折力の第１レンズ群
１１  正レンズ
１２  負レンズ（負メニスカスレンズ）
１３  正レンズ
１１’  正レンズ
１２’  正レンズ
１３’  負レンズ（負メニスカスレンズ）
１４’  正レンズ
Ｇ２  負の屈折力の第２レンズ群
２１  負レンズ
２２  正レンズ
２３  負レンズ
２１’  負レンズ
２２’  正レンズ
２３’  正レンズ
２４’  負レンズ
Ｇ３  正の屈折力の第３レンズ群（中間レンズ群、第Ａレンズ群）
Ｇ３Ｆ  正の屈折力の前方サブレンズ群（第３レンズ群）
３１Ｆ  正レンズ
３２Ｆ  正レンズ
３３Ｆ  負レンズ
Ｇ３Ｒ  正の屈折力の後方サブレンズ群（第３レンズ群または第４レンズ群）
３１Ｒ  負レンズ
３２Ｒ  正レンズ
３３Ｒ  正レンズ
Ｇ４  負の屈折力の第４レンズ群（像側レンズ群、最終レンズ群、第Ｂレンズ群、第４レンズ群または第５レンズ群）
４１  正レンズ
４２  負レンズ
Ｇ１’  正の屈折力の第１レンズ群
１１Ａ  正レンズ
１２Ａ  負レンズ（負メニスカスレンズ）
１３Ａ  正レンズ
Ｇ２’  負の屈折力の第２レンズ群
２１Ａ  負レンズ
２２Ａ  正レンズ
２３Ａ  負レンズ
２１Ｂ  負レンズ
２２Ｂ  正レンズ
２３Ｂ  正レンズ
２４Ｂ  負レンズ
２１Ｃ  負レンズ
２２Ｃ  正レンズ
２３Ｃ  負レンズ
２４Ｃ  正レンズ
Ｇ３’  正の屈折力の第３レンズ群（中間レンズ群）
３１Ａ  正レンズ
３２Ａ  正レンズ
３３Ａ  負レンズ
３１Ｂ  正レンズ
３２Ｂ  負レンズ
３３Ｂ  正レンズ
Ｇ４’  負の屈折力の第４レンズ群（中間レンズ群）
４１  負単レンズ
Ｇ５’  正の屈折力の第５レンズ群（中間レンズ群）
５１Ａ  正レンズ
５２Ａ  正レンズ
５３Ａ  負レンズ
Ｇ６’  負の屈折力の第６レンズ群（像側レンズ群）
６１Ａ  正レンズ
６２Ａ  負レンズ
Ｓ  絞り
Ｉ  設計上の像面
【図１】
0006794860.tif 000002
【図２】
0006794860.tif 000003
【図３】
0006794860.tif 000004
【図４】
0006794860.tif 000005
【図５】
0006794860.tif 000006
【図６】
0006794860.tif 000007
【図７】
0006794860.tif 000008
【図８】
0006794860.tif 000009
【図９】
0006794860.tif 000010
【図１０】
0006794860.tif 000011
【図１１】
0006794860.tif 000012
【図１２】
0006794860.tif 000013
【図１３】
0006794860.tif 000014
【図１４】
0006794860.tif 000015
【図１５】
0006794860.tif 000016
【図１６】
0006794860.tif 000017
【図１７】
0006794860.tif 000018
【図１８】
0006794860.tif 000019
【図１９】
0006794860.tif 000020
【図２０】
0006794860.tif 000021
【図２１】
0006794860.tif 000022
【図２２】
0006794860.tif 000023
【図２３】
0006794860.tif 000024
【図２４】
0006794860.tif 000025
【図２５】
0006794860.tif 000026
【図２６】
0006794860.tif 000027
【図２７】
0006794860.tif 000028
【図２８】
0006794860.tif 000029
【図２９】
0006794860.tif 000030
【図３０】
0006794860.tif 000031
【図３１】
0006794860.tif 000032
【図３２】
0006794860.tif 000033
【図３３】
0006794860.tif 000034
【図３４】
0006794860.tif 000035
【図３５】
0006794860.tif 000036
【図３６】
0006794860.tif 000037
【図３７】
0006794860.tif 000038
【図３８】
0006794860.tif 000039
【図３９】
0006794860.tif 000040
【図４０】
0006794860.tif 000041
【図４１】
0006794860.tif 000042
【図４２】
0006794860.tif 000043
【図４３】
0006794860.tif 000044
【図４４】
0006794860.tif 000045
【図４５】
0006794860.tif 000046
【図４６】
0006794860.tif 000047
【図４７】
0006794860.tif 000048
【図４８】
0006794860.tif 000049
【図４９】
0006794860.tif 000050
【図５０】
0006794860.tif 000051
【図５１】
0006794860.tif 000052
【図５２】
0006794860.tif 000053
【図５３】
0006794860.tif 000054
【図５４】
0006794860.tif 000055
【図５５】
0006794860.tif 000056
【図５６】
0006794860.tif 000057
【図５７】
0006794860.tif 000058
【図５８】
0006794860.tif 000059
【図５９】
0006794860.tif 000060
【図６０】
0006794860.tif 000061
【図６１】
0006794860.tif 000062
【図６２】
0006794860.tif 000063
【図６３】
0006794860.tif 000064
【図６４】
0006794860.tif 000065
【図６５】
0006794860.tif 000066
【図６６】
0006794860.tif 000067
【図６７】
0006794860.tif 000068
【図６８】
0006794860.tif 000069
【図６９】
0006794860.tif 000070
【図７０】
0006794860.tif 000071
【図７１】
0006794860.tif 000072